(57)【要約】  ＩｏＴ（ｉｎｔｅｒｎｅｔ  ｏｆ  ｔｈｉｎｇｓ）技術を用いて第４世代（４Ｇ）システムよりも高いデータ速度をサポートする第５世代（５Ｇ）通信システムをコンバージェンスする通信方法及びシステムを提供する。通信方法及びシステムは、スマートホーム、スマートビルディング、スマートシティ、スマートカー、コネクテッドカー、ヘルスケア、デジタル教育、スマート小売、保安、及び安全サービスのような５Ｇ通信技術及びＩｏＴ関連技術に基づく知能型サービスに適用される。端末機がシステム情報（ＳＩ）メッセージを獲得する方法が提供される。【選択図】図１１
2022500896.tif 000002
【特許請求の範囲】
【請求項１】
システム情報（ＳＩ）メッセージを獲得するための端末機によって行われる方法であって、
基地局から複数の同期化信号ブロック（ＳＳＢ）を受信する段階と、
ＳＩウィンドウ内の前記複数のＳＳＢの各々に関連付けられた少なくとも一つの物理的ダウンリンク制御チャンネル（ＰＤＣＣＨ）モニタリングオケージョン（ｏｃｃａｓｉｏｎ）を決定する段階と、
前記ＳＩメッセージを獲得するために前記複数のＳＳＢのうちの少なくとも一つに関連付けられた少なくとも一つのＰＤＣＣＨモニタリングオケージョンをモニタリングする段階と、を有することを特徴とする端末機によって行われる方法。
【請求項２】
前記ＳＩウィンドウ内の前記少なくとも一つのＰＤＣＣＨモニタリングオケージョンの各々は、前記複数のＳＳＢのＳＳＢインデックスの昇順で前記複数のＳＳＢの各々に順次に関連付けられることを特徴とする請求項１に記載の端末機によって行われる方法。
【請求項３】
前記少なくとも一つのＰＤＣＣＨモニタリングオケージョンを決定する段階は、
前記ＳＩウィンドウ内の前記少なくとも一つのＰＤＣＣＨモニタリングオケージョンを１から順次に番号を付ける段階と、
前記複数のＳＳＢのＳＳＢインデックスの昇順で前記複数のＳＳＢを１から順次に番号を付ける段階と、
前記ＳＩウィンドウ内の少なくとも一つのＰＤＣＣＨモニタリングオケージョンの（ｘ×Ｎ＋Ｋ）番目のＰＤＣＣＨモニタリングオケージョンを前記複数のＳＳＢのＫ番目のＳＳＢにマッピングする段階と、を含み、
ここで、Ｎは前記複数のＳＳＢの数であり、ｘは０以上で前記ＳＩウィンドウ内の少なくとも一つのＰＤＣＣＨモニタリングオケージョンの数をＮで割った値以下の整数であることを特徴とする請求項２に記載の端末機によって行われる方法。
【請求項４】
前記基地局からシステム情報ブロック（ＳＩＢ）１内の前記複数のＳＳＢの情報を受信する段階を更に含み、
前記複数のＳＳＢの各々は、前記複数のＳＳＢの情報に基づいて識別されることを特徴とする請求項１に記載の端末機によって行われる方法。
【請求項５】
前記基地局からＳＩメッセージ受信のための検索空間の設定情報を受信する段階を更に含み、
前記少なくとも一つのＰＤＣＣＨモニタリングオケージョンは、前記設定情報に基づいて識別されることを特徴とする請求項１に記載の端末機によって行われる方法。
【請求項６】
無線通信システムにおける端末機であって、
送受信機と、
前記送受信機に結合された制御部と、を備え、
前記制御部は、
基地局から複数の同期化信号ブロック（ＳＳＢ）を受信するように前記送受信機を制御し、
システム情報（ＳＩ）ウィンドウ内の前記複数のＳＳＢの各々に関連付けられた少なくとも一つの物理的ダウンリンク制御チャンネル（ＰＤＣＣＨ）モニタリングオケージョンを決定し、
ＳＩメッセージを獲得するために前記複数のＳＳＢのうちの少なくとも一つに関連付けられた少なくとも一つのＰＤＣＣＨモニタリングオケージョンをモニタリングするように構成されることを特徴とする無線通信システムでの端末機。
【請求項７】
前記ＳＩウィンドウ内の前記少なくとも一つのＰＤＣＣＨモニタリングオケージョンの各々は、前記複数のＳＳＢのＳＳＢインデックスの昇順で前記複数のＳＳＢの各々に順次に関連付けられることを特徴とする請求項６に記載の無線通信システムでの端末機。
【請求項８】
前記制御部は、
前記少なくとも一つのＰＤＣＣＨモニタリングオケージョンを決定する際に、
前記ＳＩウィンドウ内の前記少なくとも一つのＰＤＣＣＨモニタリングオケージョンを１から順次に番号を付け、
前記複数のＳＳＢのＳＳＢインデックスの昇順で前記複数のＳＳＢを１から順次に番号を付け、
前記ＳＩウィンドウ内の少なくとも一つのＰＤＣＣＨモニタリングオケージョンの（ｘ×Ｎ＋Ｋ）番目のＰＤＣＣＨモニタリングオケージョンを前記複数のＳＳＢのＫ番目のＳＳＢにマッピングするように更に構成され、
ここで、Ｎは前記複数のＳＳＢの数であり、ｘは０以上で前記ＳＩウィンドウ内の少なくとも一つのＰＤＣＣＨモニタリングオケージョンの数をＮで割った値以下の整数であることを特徴とする請求項７に記載の無線通信システムでの端末機。
【請求項９】
前記制御部は、前記基地局からシステム情報ブロック（ＳＩＢ）１内の前記複数のＳＳＢの情報及びＳＩメッセージ受信のための検索空間の設定情報を受信するように前記送受信機を制御するように更に構成され、
前記複数のＳＳＢの各々は、前記複数のＳＳＢの情報に基づいて識別され、
前記少なくとも一つのＰＤＣＣＨモニタリングオケージョンは、前記設定情報に基づいて識別されることを特徴とする請求項６に記載の無線通信システムでの端末機。
【請求項１０】
システム情報（ＳＩ）メッセージを送信するための基地局によって行われる方法であって、
複数の同期化信号ブロック（ＳＳＢ）を端末機に送信する段階と、
前記複数のＳＳＢのうちの少なくとも一つの物理的ダウンリンク制御チャンネル（ＰＤＣＣＨ）モニタリングオケージョンに関連付けられたＳＳＢに相応するダウンリンクビームを用いて、ＳＩウィンドウ内の前記少なくとも一つのＰＤＣＣＨモニタリングオケージョンで前記ＳＩメッセージを前記端末機に送信する段階と、を有することを特徴とする基地局によって行われる方法。
【請求項１１】
前記ＳＩウィンドウ内の前記少なくとも一つのＰＤＣＣＨモニタリングオケージョンの各々は、前記複数のＳＳＢのＳＳＢインデックスの昇順で前記複数のＳＳＢの各々に順次に関連付けられることを特徴とする請求項１０に記載の基地局によって行われる方法。
【請求項１２】
前記ＳＩウィンドウ内の少なくとも一つのＰＤＣＣＨモニタリングオケージョンの（ｘ×Ｎ＋Ｋ）番目のＰＤＣＣＨモニタリングオケージョンは、前記複数のＳＳＢのＫ番目のＳＳＢに相応し、
ここで、Ｎは前記複数のＳＳＢの数であり、ｘは０以上で前記ＳＩウィンドウ内の少なくとも一つのＰＤＣＣＨモニタリングオケージョンの数をＮで割った値以下の整数であることを特徴とする請求項１１に記載の基地局によって行われる方法。
【請求項１３】
無線通信システムにおける基地局であって、
送受信機と、
前記送受信機に結合された制御部と、を備え、
前記制御部は、
複数の同期化信号ブロック（ＳＳＢ）を端末機に送信するように前記送受信機を制御し、
前記複数のＳＳＢのうちの少なくとも一つの物理的ダウンリンク制御チャンネル（ＰＤＣＣＨ）モニタリングオケージョンに関連付けられたＳＳＢに相応するダウンリンクビームを用いて、システム情報（ＳＩ）ウィンドウ内の前記少なくとも一つのＰＤＣＣＨモニタリングオケージョンでＳＩメッセージを前記端末機に送信するように前記送受信機を制御するように構成されることを特徴とする無線通信システムでの基地局。
【請求項１４】
前記ＳＩウィンドウ内の前記少なくとも一つのＰＤＣＣＨモニタリングオケージョンの各々は、前記複数のＳＳＢのＳＳＢインデックスの昇順で前記複数のＳＳＢの各々に順次に関連付けられることを特徴とする請求項１３に記載の無線通信システムでの基地局。
【請求項１５】
前記ＳＩウィンドウ内の少なくとも一つのＰＤＣＣＨモニタリングオケージョンの（ｘ×Ｎ＋Ｋ）番目のＰＤＣＣＨモニタリングオケージョンは、前記複数のＳＳＢのＫ番目のＳＳＢに相応し、
ここで、Ｎは前記複数のＳＳＢの数であり、ｘは０以上で前記ＳＩウィンドウ内の少なくとも一つのＰＤＣＣＨモニタリングオケージョンの数をＮで割った値以下の整数であることを特徴とする請求項１４に記載の無線通信システムでの基地局。
【発明の詳細な説明】
【技術分野】
【０００１】
本発明は、一般的に移動通信システムに関し、より詳細には、Ｖ２Ｘ（ｖｅｈｉｃｌｅ−ｔｏ−ｅｖｅｒｙｔｈｉｎｇ）通信のためのリソース割り当て及び帯域幅部分（ｂａｎｄｗｉｄｔｈ  ｐａｒｔ：ＢＷＰ）非活性タイマー処理システム及び方法に関する。
【背景技術】
【０００２】
４Ｇ通信システムの商用化（ｄｅｐｌｏｙｍｅｎｔ）以後の増加趨勢にある無線データトラフィック需要を満たすために、改善された第５世代（５Ｇ）又はｐｒｅ−５Ｇ通信システムを開発するための努力が行われ、５Ｇ又はｐｒｅ−５Ｇ通信システムは、更に“４Ｇネットワーク以後（Ｂｅｙｏｎｄ  ４Ｇ  Ｎｅｔｗｏｒｋ）”、“ＬＴＥシステム以後（Ｐｏｓｔ  ＬＴＥ（ｌｏｎｇ  ｔｅｒｍ  ｅｖｏｌｕｔｉｏｎ）Ｓｙｓｔｅｍ）”、又はＮＲ（ｎｅｗ  ｒａｄｉｏ）システムと呼ばれている。５Ｇ無線通信システムは、より高いデータ送信率（ｄａｔａ  ｒａｔｅ）を達成するために、低周波帯域だけではなく１０ＧＨｚ〜１００ＧＨｚ帯域のような超高周波帯域でも具現されることが考慮されている。
【０００３】
無線波（ｒａｄｉｏ  ｗａｖｅ）の伝播損失を緩和し、送信距離を増加させるために、５Ｇ無線通信システムの設計では、ビームフォーミング（ｂｅａｍｆｏｒｍｉｎｇ）、巨大なＭＩＭＯ（ｍｕｌｔｉｐｌｅ−ｉｎｐｕｔ  ｍｕｌｔｉｐｌｅ−ｏｕｔｐｕｔ）、ＦＤ−ＭＩＭＯ（ｆｕｌｌ  ｄｉｍｅｎｓｉｏｎａｌ  ＭＩＭＯ）、アレイアンテナ（ａｒｒａｙ  ａｎｔｅｎｎａ）、アナログビームフォーミング（ａｎａｌｏｇ  ｂｅａｍ−ｆｏｒｍｉｎｇ）、及び大規模アンテナ（ｌａｒｇｅ  ｓｃａｌｅ  ａｎｔｅｎｎａ）技術が考慮されている。更に、５Ｇ通信システムでは、例えば進化した小型セル（ａｄｖａｎｃｅｄ  ｓｍａｌｌ  ｃｅｌｌ）、クラウド無線アクセスネットワーク（ｃｌｏｕｄ  ｒａｄｉｏ  ａｃｃｅｓｓ  ｎｅｔｗｏｒｋ：ｃｌｏｕｄ  ＲＡＮ）、超高密度ネットワーク（ｕｌｔｒａ−ｄｅｎｓｅ  ｎｅｔｗｏｒｋ）、機器間の通信（Ｄｅｖｉｃｅ  ｔｏ  Ｄｅｖｉｃｅ（Ｄ２Ｄ）ｃｏｍｍｕｎｉｃａｔｉｏｎ）、無線バックホール（ｗｉｒｅｌｅｓｓ  ｂａｃｋｈａｕｌ）、移動ネットワーク（ｍｏｖｉｎｇ  ｎｅｔｗｏｒｋ）、協力通信（ｃｏｏｐｅｒａｔｉｖｅ  ｃｏｍｍｕｎｉｃａｔｉｏｎ）、ＣｏＭＰ（ｃｏｏｒｄｉｎａｔｅｄ  ｍｕｌｔｉ−ｐｏｉｎｔ）、及び受信端干渉除去（ｒｅｃｅｐｔｉｏｎ−ｅｎｄ  ｉｎｔｅｒｆｅｒｅｎｃｅ  ｃａｎｃｅｌｌａｔｉｏｎ）に基づいてシステムネットワーク改善のための開発が行われている。５Ｇシステムでは、進化したコーディング変調（ａｄｖａｎｃｅｄ  ｃｏｄｉｎｇ  ｍｏｄｕｌａｔｉｏｎ：ＡＣＭ）方式としてハイブリッドＦＳＫ（ｈｙｂｒｉｄ  ＦＳＫ（ｆｒｅｑｕｅｎｃｙ  ｓｈｉｆｔ  ｋｅｙｉｎｇ））及びＱＡＭ（ｑｕａｄｒａｔｕｒｅ  ａｍｐｌｉｔｕｄｅ  ｍｏｄｕｌａｔｉｏｎ）の組み合わせであるＦＱＡＭ（ｆｒｅｑｕｅｎｃｙ  ａｎｄ  ｑｕａｄｒａｔｕｒｅ  ａｍｐｌｉｔｕｄｅ  ｍｏｄｕｌａｔｉｏｎ）方式及びＳＷＳＣ（ｓｌｉｄｉｎｇ  ｗｉｎｄｏｗ  ｓｕｐｅｒｐｏｓｉｔｉｏｎ  ｃｏｄｉｎｇ）方式と、進化したアクセス技術としてＦＢＭＣ（ｆｉｌｔｅｒ  ｂａｎｋ  ｍｕｌｔｉ−ｃａｒｒｉｅｒ）、ＮＯＭＡ（ｎｏｎ−ｏｒｔｈｏｇｏｎａｌ  ｍｕｌｔｉｐｌｅ  ａｃｃｅｓｓ）、及びＳＣＭＡ（ｓｐａｒｓｅ  ｃｏｄｅ  ｍｕｌｔｉｐｌｅ  ａｃｃｅｓｓ）が開発された。
【０００４】
同様の点で、インターネットは、今や事物（ｔｈｉｎｇｓ）のような分散されたエンティティーが人間の介入無しに情報を交換して処理するＩｏＴ（Ｉｎｔｅｒｎｅｔ  ｏｆ  ｔｈｉｎｇｓ）へ進化している。クラウドサーバーとの接続を介してＩｏＴ技術とビックデータ（ｂｉｇ  ｄａｔａ）処理技術との組み合わせのＩｏＥ（Ｉｎｔｅｒｎｅｔ  ｏｆ  ｅｖｅｒｙｔｈｉｎｇ）が登場した。“センシング技術”、“有無線通信及びネットワークインフラ構造”、“サービスインターフェース技術”、及び“保安技術”のような技術要素がＩｏＴ具現のために要求されることによって、センサーネットワーク、Ｍ２Ｍ（ｍａｃｈｉｎｅ  ｔｏ  ｍａｃｈｉｎｅ、）、ＭＴＣ（ｍａｃｈｉｎｅ  −ｔｙｐｅ  ｃｏｍｍｕｎｉｃａｔｉｏｎ）などが最近に研究されてきた。このようなＩｏＴ環境は、接続された事物の間に生成されたデータを収集して分析することによって、人間の生活に新しい価値を創出する知能型インターネット技術サービスを提供することができる。この場合にＩｏＴは、既存の情報技術（ｉｎｆｏｒｍａｔｉｏｎ  ｔｅｃｈｎｏｌｏｇｙ：ＩＴ）と多様な産業用アプリケーションとの間のコンバージェンス（ｃｏｎｖｅｒｇｅｎｃｅ）及び組み合わせを介してスマートホーム、スマートビルディング、スマートシティ、スマートカー又はコネクテッドカー（ｃｏｎｎｅｃｔｅｄ  ｃａｒ）、スマートグリッド、ヘルスケア、スマート家電、進化した医療サービスを含む多様な分野に適用される。
【０００５】
これに併せて、５Ｇ通信システムをＩｏＴネットワークに適用するための努力が行われた。例えば、センサーネットワーク、Ｍ２Ｍ、及びＭＴＣ通信のような技術は、ビームフォーミング、ＭＩＭＯ、及びアレイアンテナによって具現される。上述したビックデータ処理技術としてのクラウドＲＡＮの適用は、更に５Ｇ技術とＩｏＴ技術とのコンバージェンスとして考慮されている。
【０００６】
近年、増加する広帯域加入者を充足し、これら及び他の付加的及び改善されたアプリケーション及びサービスを提供するために多くの広帯域無線技術が開発された。第２世代（２Ｇ）無線通信システムはユーザの移動性を保証しながら音声サービスを提供するために開発された。第３世代（３Ｇ）無線通信システムは音声サービスだけではなくデータサービスもサポートする。４Ｇ無線通信システムは、高速データサービスを提供するために開発されたが、高速データサービスに対する増加する需要を満たすためのリソースの不足に困っている。従って、第５世代無線通信システムは、高速データサービスのように多様な要求事項を有する多様なサービスの増加する需要を満たし、超信頼性及び低い待機時間アプリケーションをサポートするために開発されている。
【０００７】
更に、５Ｇ線通信システムは、データ送信率、待機時間、信頼性、及び移動性の側面で多様な要求事項を有する相違するユースケース（ｕｓｅ  ｃａｓｅ）を処理することが予想されるが、５Ｇ無線通信システムの無線インターフェースの設計は、ＵＥが最終顧客にサービスを提供するユースケース及びマーケットセグメント（ｍａｒｋｅｔ  ｓｅｇｍｅｎｔ）によって多様な能力を有するユーザ装置（ｕｓｅｒ  ｅｑｕｉｐｍｅｎｔ：ＵＥ）をサービングするのに充分に柔軟なことであると予想される。
【０００８】
５Ｇ無線通信システムが扱うことで予想される例示的なユースケースは、ｅＭＢＢ（ｅｎｈａｎｃｅｄ  ｍｏｂｉｌｅ  ｂｒｏａｄｂａｎｄ）、ｍ−ＭＴＣ（ｍａｓｓｉｖｅ  ＭＴＣ）、及びＵＲＬＬ（ｕｌｔｒａ−ｒｅｌｉａｂｌｅ  ｌｏｗ  ｌａｔｅｎｃｙ  ｃｏｍｍｕｎｉｃａｔｉｏｎ）を含む。高いＧｂｐｓデータ送信率、低い待機時間、及び高い移動性のようなｅＭＢＢ要求事項は、どこでもフルタイム（ｆｕｌｌ−ｔｉｍｅ）でインターネット接続を要する既存の無線広帯域加入者を示すマーケットセグメントを扱う。非常に高い接続密度、まれなデータ送信、長いバッテリー寿命、及び低い移動性のようなｍ−ＭＴＣ要求事項は数十億個のデバイスの接続を構想するＩｏＴ／ＩｏＥを示すマーケットセグメントを扱う。非常に低い待機時間、非常に高い信頼性、及び可変的な移動性のようなＵＲＬＬ要求事項は、産業自動化アプリケーション、自律車両のためのイネーブラ（ｅｎａｂｌｅｒ）のうちの一つとして予測される車両対車両／車両対インフラ通信を示すマーケットセグメントを扱う。
【０００９】
Ｖ２Ｘ（ｖｅｈｉｃｌｅ−ｔｏ−ｅｖｅｒｙｔｈｉｎｇ）サービスとして代表される車両通信サービスは、Ｖ２Ｖ（ｖｅｈｉｃｌｅ−ｔｏ−ｖｅｈｉｃｌｅ）、Ｖ２Ｉ（ｖｅｈｉｃｌｅ−ｔｏ−ｉｎｆｒａｓｔｒｕｃｔｕｒｅ）、Ｖ２Ｎ（ｖｅｈｉｃｌｅ−ｔｏ−ｎｅｔｗｏｒｋ）、及びＶ２Ｐ（ｖｅｈｉｃｌｅ−ｔｏ−ｐｅｄｅｓｔｒｉａｎ）タイプを含むことができる。Ｖ２ＸサービスはＰＣ５インターフェース及び／又はＵｕインターフェースによって提供することができる。ＰＣ５インターフェースを通じたＶ２ＸサービスのサポートはＶ２Ｘサイドリンク通信によって提供され、これはＵＥがＰＣ５インターフェースを介して直接互いに通信することができる通信モードであり、ＵＥが次世代無線アクセスネットワーク（ｎｅｘｔ  ｇｅｎｅｒａｔｉｏｎ  ｒａｄｉｏ  ａｃｃｅｓｓ  ｎｅｔｗｏｒｋ：ＮＧ−ＲＡＮ）によってサービングされ、ＵＥがＮＧ−ＲＡＮカバレッジの外にある時にサポートされる。Ｖ２Ｘサービスのために用いられるように認可された（ａｕｔｈｏｒｉｚｅｄ）ＵＥのみがＶ２Ｘサイドリンク通信を行うことができる。
【００１０】
Ｖ２Ｘサイドリンク通信をサポートするＵＥはリソース割り当てのために２つのモードで動作することができる。
【００１１】
（１）スケジューリングされたリソース割り当て
−ＵＥはデータを送信するために無線リソース制御コネクテッド（ＲＲＣ＿ＣＯＮＮＥＣＴＥＤ）である必要があり、
−ＵＥはサイドリンク制御情報及びデータの送信のための送信リソースをスケジューリングする次世代ノードＢ（ｇＮＢ）から送信リソースをリクエストする。
【００１２】
（２）ＵＥ自律リソース選択
−ＵＥは一方的にリソースプールからリソースを選択してサイドリンク制御情報及びデータを送信するために送信フォーマット選択を行い、
−ＵＥはサイドリンクリソースの（再）選択のためのセンシング（ｓｅｎｓｉｎｇ）を行う。センシング結果に基づいて、ＵＥは、一部の特定のサイドリンクリソースを（再）選択し、多数のサイドリンクリソースを予約する。
【００１３】
ＵＥは当該搬送波上でセルを検出する毎にＶ２Ｘサイドリンク通信に用いられる搬送波上でカバレッジ内（ｉｎ−ｃｏｖｅｒａｇｅ）にあるとして考慮される。Ｖ２Ｘサイドリンク通信のために認可されたＵＥがＶ２Ｘサイドリンク通信に用いられる周波数上でカバレッジ内にあるか又はｇＮＢが（ＵＥが当該周波数上でカバレッジの外にある時を含む）当該周波数に対するＶ２Ｘサイドリンク設定を提供する場合、ＵＥはｇＮＢ設定によってスケジューリングされたリソース割り当て又はＵＥ自律リソース選択を用いる。ＵＥがＶ２Ｘサイドリンク通信に用いられる周波数上でカバレッジの外にある時にｇＮＢが当該周波数に対するＶ２Ｘサイドリンク設定を提供しない場合、ＵＥはＵＥに予め設定された送受信リソースプールセットを用いる。Ｖ２Ｘサイドリンク通信リソースはサイドリンクを介して送信される他の非−Ｖ２Ｘデータ（ｎｏｎ−Ｖ２Ｘ  ｄａｔａ）と共有されない。
【００１４】
ＲＲＣ＿ＣＯＮＮＥＣＴＥＤ  ＵＥはサイドリンクリソースをリクエストするためにＶ２Ｘサイドリンク通信送信に関心がある場合にサイドリンクＵＥ情報メッセージをサービングセルで送信する。ＵＥがＶ２Ｘサイドリンク通信を受信するように上位階層によって設定されてＶ２Ｘサイドリンク受信リソースブールが提供される場合、ＵＥはこれらの提供されたリソース上で通信信号（ｃｏｍｍｕｎｉｃａｔｉｏｎ）を受信する。
【００１５】
Ｖ２Ｘサイドリンク通信のために、スケジューリングされたリソース割り当て及びＵＥ自律リソース選択のための異なる周波数に対する例外的なプール（ｅｘｃｅｐｔｉｏｎａｌ  ｐｏｏｌ）を含むサイドリンク送信及び／又は受信リソースが提供される。異なる周波数に対するサイドリンクリソースは、専用シグナリング、システム情報ブロック２１（ＳＩＢ２１）、及び／又は事前設定を介して提供される。サービングセルはＵＥがＶ２Ｘサイドリンク通信のためのリソース設定を獲得することができる周波数のみをＵＥに示す。多数の周波数及び関連するリソース情報が提供される場合、提供された周波数のうちから周波数を選択することはＵＥの具現にかかっている。ＵＥがＶ２Ｘサイドリンク通信のためのリソース設定又は搬送波間のリソース設定（ｉｎｔｅｒ−ｃａｒｒｉｅｒ  ｒｅｓｏｕｒｃｅ  ｃｏｎｆｉｇｕｒａｔｉｏｎ）を提供するセルを検出する場合、ＵＥは予め設定された送信リソースを使用しない。Ｖ２Ｘサイドリンク通信リソース設定又は交差搬送波設定（ｃｒｏｓｓ−ｃａｒｒｉｅｒ  ｃｏｎｆｉｇｕｒａｔｉｏｎ）を提供することができる周波数はＳＩＢ２１でシグナリングされるか又はＵＥで予め設定される。ＲＲＣ＿ＩＤＬＥ  ＵＥはセルの再選択のうちにＶ２Ｘサイドリンク通信のための交差搬送波リソース設定を提供する周波数に優先順位を定めることができる。
【００１６】
ＵＥが多数の送信チェーン（ｔｒａｎｓｍｉｓｓｉｏｎ  ｃｈａｉｎ）をサポートする場合、これはＰＣ５を介して多数の搬送波上で同時に送信することができる。Ｖ２Ｘに対する多数の周波数がサポートされる場合、Ｖ２ＸサービスタイプとＶ２Ｘ周波数との間のマッピングは上位階層によって設定される。ＵＥはＶ２Ｘサービスが相応する周波数上で送信されなければならない。スケジューリングされたリソース割り当ての場合、ｇＮＢはサイドリンクバッファー状態報告（ｂｕｆｆｅｒ  ｓｔａｔｕｓ  ｒｅｐｏｒｔ：ＢＳＲ）に基づく周波数上でＶ２Ｘ送信をスケジューリングすることができ、ここでＵＥはＵＥによってサイドリンクＵＥの情報メッセージでｇＮＢに報告された周波数に一意に関連付けられた目的地インデックス（ｄｅｓｔｉｎａｔｉｏｎ  ｉｎｄｅｘ）を含む。
【００１７】
帯域幅適応（ｂａｎｄｗｉｄｔｈ  ａｄａｐｔａｔｉｏｎ：ＢＡ）は５Ｇシステムでサポートされる。ＢＡを用いると、ＵＥの受信及び送信帯域幅はセルの帯域幅ほど大きい必要がなく調整することができる。電力を節約するために活動が少ない期間の間の幅を狭めるなどのように、幅は変更するように注文を受けることができる。位置はスケジューリングの柔軟性を高めるなどのように周波数ドメインで移動することができる。副搬送波間隔は異なるサービスを可能にするなどのように変更するように注文を受けることができる。
【００１８】
セルの全体セル帯域幅のサブセットは帯域幅部分（ｂａｎｄｗｉｄｔｈ  ｐａｒｔ：ＢＷＰ）と称され、ＢＡはＵＥをＢＷＰに設定して設定されたＢＷＰのどれが現在の活性ＢＷＰであるかをＵＥに示すことによって実現される。ＲＲＣ−コネクテッド状態のＵＥには１次セル（ｐｒｉｍａｒｙ  ｃｅｌｌ：ＰＣｅｌｌ）又は２次セル（ｓｅｃｏｎｄａｒｙ  ｃｅｌｌ：ＳＣｅｌｌ）のように設定された各々のサービングセルに対して一つ以上のダウンリンク（ＤＬ）及びアップリンク（ＵＬ）ＢＷＰが設定される。活性化されたサービングセルの場合、いつでも常に一つの活性ＵＬ及びＤＬ  ＢＷＰがある。サービングセルに対するＢＷＰスイッチングは、非活性ＢＷＰを活性化し、一度に活性ＢＷＰを非活性化することに用いられ、ダウンリンク割り当て又はアップリンクグラント（ｇｒａｎｔ）を示す物理的ダウンリンク制御チャンネル（ｐｈｙｓｉｃａｌ  ｄｏｗｎｌｉｎｋ  ｃｏｎｔｒｏｌ  ｃｈａｎｎｅｌ：ＰＤＣＣＨ）、ｂｗｐ−ＩｎａｃｔｉｖｉｔｙＴｉｍｅｒ、ＲＲＣシグナリング、又はランダムアクセス手順を開始する時の媒体アクセス制御（ｍｅｄｉｕｍ  ａｃｃｅｓｓ  ｃｏｎｔｒｏｌ：ＭＡＣ）エンティティー自体によって制御される。特殊セル（ｓｐｅｃｉａｌ  ｃｅｌｌ：ＳｐＣｅｌｌ）を付加するか又はＳｃｅｌｌを活性化する時、ｆｉｒｓｔＡｃｔｉｖｅＤｏｗｎｌｉｎｋＢＷＰ−Ｉｄ及びｆｉｒｓｔＡｃｔｉｖｅＵｐｌｉｎｋＢＷＰ−Ｉｄによってそれぞれ示されるＤＬ  ＢＷＰ及びＵＬ  ＢＷＰは、ダウンリンク割り当て又はアップリンクグラントを示すＰＤＣＣＨを受信せずに活性的である。サービングセルに対する活性ＢＷＰはＲＲＣ又はＰＤＣＣＨによって示される。ペアを成さないスペクトラム（ｕｎｐａｉｒｅｄ  ｓｐｅｃｔｒｕｍ）の場合、ＤＬ  ＢＷＰはＵＬ  ＢＷＰとペアを成し、ＢＷＰスイッチングはＵＬ及びＤＬの両方に対して共通である。ＢＷＰ非活性タイマーが満了すると、ＵＥは活性ＤＬ  ＢＷＰを基本（ｄｅｆａｕｌｔ）ＤＬ  ＢＷＰに転換するか、又は基本ＤＬ  ＢＷＰが設定されない場合には初期ＤＬ  ＢＷＰに転換する。
【００１９】
従来技術のリソース割り当てメカニズムが多数のＢＷＰを処理する側面で不十分であるため、本技術分野ではサイドリンク通信をサポートする搬送波上の多数のＢＷＰを考慮してＶ２Ｘサイドリンク通信のための向上したリソース割り当てメカニズムが必要である。サイドリンク通信のための活性ＢＷＰはＷＡＮ（ｗｉｄｅｒ  ａｒｅａ  ｎｅｔｗｏｒｋ）通信のための活性ＢＷＰと異なることがある。サイドリンク通信はＷＡＮ通信に用いられるのと同一のＢＷＰ上でサポートされる。Ｖ２Ｘサイドリンク通信を考慮したＢＷＰ非活性タイマーも向上させる必要がある。
【００２０】
ＳＩウィンドウ内のシステム情報（ｓｙｓｔｅｍ  ｉｎｆｏｒｍａｔｉｏｎ：ＳＩ）メッセージ受信のための各々のＰＤＣＣＨモニタリングオケージョン（ｏｃｃａｓｉｏｎ）は、送信された同期化信号ブロック（ｓｙｎｃｈｒｏｎｉｚａｔｉｏｎ  ｓｉｇｎａｌ  ｂｌｏｃｋ：ＳＳＢ）（又はＳＳ／ＰＢＣＨ  ブロック）の一つに関連付けられる。このような関連付けに基づいて、ＵＥは、しきい値を超過する同期化信号基準信号受信電力（ｓｙｎｃｈｒｏｎｉｚａｔｉｏｎ  ｓｉｇｎａｌ  ｒｅｆｅｒｅｎｃｅ  ｓｉｇｎａｌ  ｒｅｃｅｉｖｅｄ  ｐｏｗｅｒ：ＳＳ−ＲＳＲＰ）を有するＳＳＢのような一つ以上の適合したＳＳＢに相応するＰＤＣＣＨモニタリングオケージョンを決定し、ＳＩウィンドウ内のこのようなＰＤＣＣＨモニタリングオケージョンのみをモニタリングすることができる。
【００２１】
既存のシステムで、ＳＩウィンドウ内のＳＩメッセージ受信のためのＫ番目のＰＤＣＣＨモニタリングオケージョンは、Ｋ番目の送信されたＳＳＢに相応するが、ＳＩウィンドウ内のＳＩメッセージ受信のためのＰＤＣＣＨモニタリングオケージョンと送信されたＳＳＢとの間のこのようなマッピング規則は、ＳＩウィンドウ内のＳＩメッセージ受信のためのＰＤＣＣＨモニタリングオケージョンの数が送信されたＳＳＢの数と同一の場合にのみ作動する。ＳＩウィンドウの長さ及び他のシステム情報（ｏｔｈｅｒ  ｓｙｓｔｅｍ  ｉｎｆｏｒｍａｔｉｏｎ：ＯＳＩ）の検索空間の設定により、ＳＩウィンドウ内のＳＩメッセージ受信のためのＰＤＣＣＨモニタリングオケージョンの数は送信されたＳＳＢの数よりも大きくなる場合がある。従って、本技術分野においてはＳＩウィンドウ内のＰＤＣＣＨモニタリングオケージョンと送信されたＳＳＢとの間の向上したマッピング規則も必要である。
【発明の概要】
【発明が解決しようとする課題】
【００２２】
本発明は、上記従来の問題点に鑑みてなされたものであって、本発明の目的は、４Ｇシステム以後よりも高いデータ送信率をサポートするための５Ｇ通信システムを融合する通信方法及びシステムを提供することにある。
また、本発明の目的は、サイドリンク通信をサポートする搬送波上の多数のＢＷＰを考慮してＶ２Ｘサイドリンク通信のための向上したリソース割り当てメカニズムを提供することにある。
更に、本発明の目的は、ＳＩウィンドウ内のＰＤＣＣＨモニタリングオケージョンと送信されたＳＳＢとの間に向上したマッピング規則を提供することにある。
【課題を解決するための手段】
【００２３】
上記目的を達成するためになされた本発明の一態様によるシステム情報（ＳＩ）メッセージを獲得するための端末機によって行われる方法は、基地局から複数の同期化信号ブロック（ＳＳＢ）を受信する段階と、ＳＩウィンドウ内の前記複数のＳＳＢの各々に関連付けられた少なくとも一つの物理的ダウンリンク制御チャンネル（ＰＤＣＣＨ）モニタリングオケージョン（ｏｃｃａｓｉｏｎ）を決定する段階と、前記ＳＩメッセージを獲得するために前記複数のＳＳＢのうちの少なくとも一つに関連付けられた少なくとも一つのＰＤＣＣＨモニタリングオケージョンをモニタリングする段階と、を有する。
【００２４】
上記目的を達成するためになされた本発明の一態様による無線通信システムにおける端末機は、送受信機と、送受信機に結合された制御部（ｃｏｎｔｒｏｌｌｅｒ）と、を備え、前記制御部は、前記基地局から複数の同期化信号ブロック（ＳＳＢ）を受信するように前記送受信機を制御し、システム情報（ＳＩ）ウィンドウ内の前記複数のＳＳＢの各々に関連付けられた少なくとも一つの物理的ダウンリンク制御チャンネル（ＰＤＣＣＨ）モニタリングオケージョンを決定し、ＳＩメッセージを獲得するために前記複数のＳＳＢのうちの少なくとも一つに関連付けられた少なくとも一つのＰＤＣＣＨモニタリングオケージョンをモニタリングするように構成される。
【００２５】
上記目的を達成するためになされた本発明の一態様によるシステム情報（ＳＩ）メッセージを送信するための基地局によって行われる方法は、複数の同期化信号ブロック（ＳＳＢ）を端末機に送信する段階と、前記複数のＳＳＢのうちの少なくとも一つの物理的ダウンリンク制御チャンネル（ＰＤＣＣＨ）モニタリングオケージョンに関連付けられたＳＳＢに相応するダウンリンクビームを用いて、ＳＩウィンドウ内の前記少なくとも一つのＰＤＣＣＨモニタリングオケージョンで前記ＳＩメッセージを前記端末機に送信する段階と、を有する。
【００２６】
上記目的を達成するためになされた本発明の一態様による無線通信システムにおける基地局は、送受信機と、前記送受信機に結合された制御部と、を備え、前記制御部は、複数の同期化信号ブロック（ＳＳＢ）を端末機に送信するように前記送受信機を制御し、前記複数のＳＳＢのうちの少なくとも一つの物理的ダウンリンク制御チャンネル（ＰＤＣＣＨ）モニタリングオケージョンに関連付けられたＳＳＢに相応するダウンリンクビームを用いて、システム情報（ＳＩ）ウィンドウ内の前記少なくとも一つのＰＤＣＣＨモニタリングオケージョンでＳＩメッセージを前記端末機に送信するように前記送受信機を制御するように構成される。
【発明の効果】
【００２７】
本明細書によれば、ＳＩウィンドウ内のＳＩメッセージ受信のためのＰＤＣＣＨモニタリングオケージョンとＳＳＢとの間の開示されたマッピングに基づいて、ＵＥは、しきい値を超過するＳＳ−ＲＳＲＰを有するＳＳＢのような一つ以上の適合したＳＳＢに相応するＰＤＣＣＨモニタリングオケージョンを決定し、ＳＩウィンドウ内のＰＤＣＣＨモニタリングオケージョンの数が送信されたＳＳＢの数よりも大きいか又は同じであるかに拘わらず、ＳＩウィンドウ内のこのようなＰＤＣＣＨ  モニタリングオケージョンのみをモニタリングすることができる。
【図面の簡単な説明】
【００２８】
【図１】一実施形態によるＵＥとｇＮＢとの間のシグナリングの流れの第１例を示す図である。
【図２】一実施形態によるＵＥとｇＮＢとの間のシグナリングの流れの第２例を示す図である。
【図３】一実施形態によるＵＥとｇＮＢとの間のシグナリングの流れの第３例を示す図である。
【図４】一実施形態によるＵＥとｇＮＢとの間のシグナリングの流れの第４例を示す図である。
【図５】一実施形態によるＵＥとｇＮＢとの間のシグナリングの流れの第５例を示す図である。
【図６】一実施形態によるＶ２Ｘサイドリンク通信のリソース割り当てのための手順の第１例を示す図である。
【図７】一実施形態によるＶ２Ｘサイドリンク通信のリソース割り当てのための手順の第２例を示す図である。
【図８】一実施形態によるＶ２Ｘサイドリンク通信のリソース割り当てのための手順の第３例を示す図である。
【図９】一実施形態によるＶ２Ｘサイドリンク通信のリソース割り当てのための手順の第４例を示す図である。
【図１０】３個のＳＩメッセージを送信するセルに対して周期的に発生するＳＩ−ウィンドウのクラスタの一例を示す図である。
【図１１】第１実施例によるＳＩメッセージ受信のためのＰＤＣＣＨモニタリングオケージョンとＳＳＢとの間のマッピングを例示する図である。
【図１２】第２実施例によるＳＩメッセージ受信のためのＰＤＣＣＨモニタリングオケージョンとＳＳＢとの間のマッピングを例示する図である。
【図１３】一実施形態による端末機のブロック図である。
【図１４】一実施形態による基地局のブロック図である。
【発明を実施するための形態】
【００２９】
以下、本発明を実施するための形態の具体例を、図面を参照しながら詳細に説明する。図面全体に亘って、同一の参照番号は、同一の部分、構成要素、及び構造を指称する。
【００３０】
図面を参照した次の説明を本発明の実施例に対する包括的な理解を助けるために提供する。これは理解を助けるための多様な特定詳細事項を含むが、これは例示的なことであると見なされなければならない。従って、通常の技術者は本明細書に説明した実施例の多様な変更及び修正が本発明の範囲及び思想を逸脱せずに達成されるということを認識するだろう。更に、明瞭性及び簡潔性のためによく知られた機能及び構成に対する説明は省略する。
【００３１】
次の説明及び請求の範囲で用いられる用語及び単語は辞典的意味に限定されず、本発明に対する明確で一貫された理解ができるようにするために用いられる。従って、次の詳細な説明は、単に例示のために提供されるものであり、本発明を制限するために提供されるものではないことが通常の技術者には明白でなければならない。
【００３２】
単数形態“ａ”、“ａｎ”及び“ｔｈｅ”は文脈が明白に異なるように指示しない限り複数対象を含むということが理解されなければならない。従って、例えば“構成要素表面”に対する言及はこのような表面のうちの一つ以上に対する言及を含む。
【００３３】
“実質的に”という用語は、引用された特性、パラメーター、又は値が正確に達成される必要はないが、例えば許容誤差、測定エラー、測定正確度限界、及び通常の技術者に知られた他の要因のような偏差又は変動は、特性が提供しようとする効果を除外しない程度で発生することがあるということを意味する。
【００３４】
通常の技術者に知られるように、フローチャート（又はシーケンスダイヤグラム）の各段階及びフローチャートの組み合せは、汎用コンピューター、特殊目的コンピューター、又はプログラム可能なデータ処理装置のプロセッサ上にロードされるコンピュータープログラム命令語によって示されて実行される。ロードされたプログラム命令語がプロセッサによって実行される際に、フローチャートに説明された機能を行う手段を生成する。コンピュータープログラム命令語は、専門コンピューター又はプログラム可能なデータ処理装置で使用可能なコンピューター読み取り可能な記録媒体に記憶されることから、フローチャートに説明された機能を行う製品を生成することも可能である。コンピュータープログラム命令語は、コンピューター又はプログラム可能なデータ処理装置上にロードされることから、プロセスとして実行される時、これは命令語がフローチャートに説明された機能の動作を行う。
【００３５】
フローチャートの各段階は、一つ以上の論理機能を具現する一つ以上の実行可能な命令語を含むモジュール、セグメント、又はコードに該当するか又はこの一部に該当する。ある場合に、各段階によって示される機能は列挙された手順と相違する手順で実行されることがある。例えば、シーケンスで列挙された２つのブロックは同時に実行されるか又は逆順に実行される。
【００３６】
このような説明で、単語“ユニット”、“モジュール”という単語は、機能又は動作を行うＦＰＧＡ（ｆｉｅｌｄ−ｐｒｏｇｒａｍｍａｂｌｅ  ｇａｔｅ  ａｒｒａｙ）又は注文型集積回路（ａｐｐｌｉｃａｔｉｏｎ−ｓｐｅｃｉｆｉｃ  ｉｎｔｅｇｒａｔｅｄ  ｃｉｒｃｕｉｔ：ＡＳＩＣ）のようなソフトウェア構成要素又はハードウェア構成要素を指称する。しかし、“ユニット”などは、ハードウェア又はソフトウェアに限定されず、アドレス可能な記憶媒体に常住するか又は一つ以上のプロセッサを駆動するために構成される。“ユニット”は、更にソフトウェア構成要素、客体志向ソフトウェア構成要素、クラス構成要素、タスク構成要素、プロセス、機能、属性、手順、サブルーチン、プログラムコードセグメント、ドライバー、ファームウエア、マイクロコード、回路、データ、データベース、データ構造、テーブル、アレイ、又は変数を指称する。構成要素及びユニットが提供する機能は、より小さい構成要素とユニットとの組み合せであれば良く、より大きい構成要素及びユニットを構成するために他の構成要素と組み合わされる。構成要素及びユニットは、安全なマルチメディアカードでデバイス又は一つ以上のプロセッサを駆動するように構成される。
【００３７】
詳細な説明に先立って、本発明を理解するのに必要な用語又は定義が説明される。しかし、このような用語は非制限的な方式で解釈されなければならない。
【００３８】
“基地局（ＢＳ）”は、ＵＥと通信するエンティティーであり、ＢＳ、ＢＴＳ（ｂａｓｅ  ｔｒａｎｓｃｅｉｖｅｒ  ｓｔａｔｉｏｎ）、ノードＢ（ｎｏｄｅ  Ｂ、ＮＢ）、ｅＮＢ（ｅｖｏｌｖｅｄ  ＮＢ）、アクセスポイント（ａｃｃｅｓｓ  ｐｏｉｎｔ：ＡＰ）、５ＧＮＢ、又はｇＮＢとして指称される。
【００３９】
“ＵＥ”は、ＢＳと通信するエンティティーであり、ＵＥ、デバイス、移動局（ＭＳ）、移動装置（ＭＥ）、又は端末として指称される。
【００４０】
≪１．Ｖ２Ｘサイドリンク（Ｓｉｄｅｌｉｎｋ：ＳＬ）通信のためのＢＷＰ非活性タイマー処理≫
【００４１】
＜実施例１＞
【００４２】
図１は、一実施形態によるＵＥとｇＮＢとの間のシグナリングの流れの第１例を示す図である。
【００４３】
活性化されたサービングセルに対して、ＵＥ（又はＵＥ内のＭＡＣエンティティー）がこのようなサービングセルの活性ＤＬ  ＢＷＰ上でＳＬグラントを示すＳＬ車両無線ネットワーク臨時識別子（ＳＬ  ｖｅｈｉｃｌｅ  ｒａｄｉｏ  ｎｅｔｗｏｒｋ  ｔｅｍｐｏｒａｒｙ  ｉｄｅｎｔｉｆｉｅｒ：ＳＬ−Ｖ−ＲＮＴＩ）でアドレシング（ａｄｄｒｅｓｓｉｎｇ）されたＰＤＣＣＨを受信すると、ＵＥは活性ＤＬ  ＢＷＰに関連付けられたｂｗｐ−ＩｎａｃｔｉｖｉｔｙＴｉｍｅｒを開始するか又は再び開始する。図１で、ＳＬグラントはＬＴＥ  ＲＡＴ（ｒａｄｉｏ  ａｃｃｅｓｓ  ｔｅｃｈｎｏｌｏｇｙ）又はＮＲ  ＲＡＴに基づくＳＬ通信のためのものである。
【００４４】
ＵＥには一つ以上のサービングセルが設定される。活性化された各々のサービングセルに対して、一つ以上のＢＷＰがＲＲＣシグナリングを用いてｇＮＢによって設定される。活性化されたサービングセル毎に一つの活性ＤＬ  ＢＷＰ及び活性ＵＬ  ＢＷＰがある。Ｖ２Ｘ  ＳＬ通信に関心のあるＵＥは、段階１１０でＶ２Ｘ  ＳＬ通信のためのリソースをリクエストするシグナリングメッセージ（例えば、ＳｉｄｅｌｉｎｋＵＥＩｎｆｏｒｍａｔｉｏｎメッセージ）を送信する。ｇＮＢは、一つ以上のＳＬ−Ｖ−ＲＮＴＩをＵＥに割り当て、段階１２０で割り当てられた一つ以上のＳＬ−Ｖ−ＲＮＴＩを含むＲＲＣ接続再設定メッセージを送信する。ＵＥは、段階１３０でＳＬ−Ｖ−ＲＮＴＩでアドレシングされたＰＤＣＣＨに対してモニタリングする。ＳＬ−Ｖ−ＲＮＴＩでアドレシングされたＰＤＣＣＨはＶ２Ｘ  ＳＬ通信のためのＳＬグラントを示す。
【００４５】
ＵＥが、ＢＷＰ識別子（ＩＤ）Ｘが設定されるサービングセルＹの活性ＤＬ  ＢＷＰ上で、ＳＬ−Ｖ−ＲＮＴＩでアドレシングされたＰＤＣＣＨを受信すると、ＵＥは、段階１４０でサービングセルＹの活性ＤＬ  ＢＷＰに関連付けられたｂｗｐ−ＩｎａｃｔｉｖｉｔｙＴｉｍｅｒを開始するか又は再び開始する。このような動作は、基本ＤＬ  ＢＷＰが設定されて活性ＤＬ  ＢＷＰが基本ＤＬ  ＢＷＰではない場合に行われる。このような動作は、更に基本ＤＬ  ＢＷＰが設定されずに活性ＤＬ  ＢＷＰが初期ＤＬ  ＢＷＰではない場合に行われる。
【００４６】
代案として、ＵＥが、ＢＷＰ  ＩＤ  Ｘが設定されるサービングセルＹの活性ＤＬ  ＢＷＰ上で、ＳＬ−Ｖ−ＲＮＴＩでアドレシングされたＰＤＣＣＨを受信し、サービングセルＹが時分割デュプレックス（ｔｉｍｅ  ｄｉｖｉｓｉｏｎ  ｄｕｐｌｅｘ：ＴＤＤ）セルの場合、ＵＥはサービングセルＹの活性ＤＬ  ＢＷＰに関連付けられたｂｗｐ−ＩｎａｃｔｉｖｉｔｙＴｉｍｅｒを開始するか又は再び開始する。このような動作は、基本ＤＬ  ＢＷＰが設定されて活性ＤＬ  ＢＷＰが基本ＤＬ  ＢＷＰではない場合に行われる。このような動作は、更に基本ＤＬ  ＢＷＰが設定されずに活性ＤＬ  ＢＷＰが初期ＤＬ  ＢＷＰではない場合に行われる。
【００４７】
上述した方法は、更にＳＬ半永久的スケジューリング車両無線ネットワーク臨時識別子（ＳＬ  ｓｅｍｉ−ｐｅｒｓｉｓｔｅｎｔ  ｓｃｈｅｄｕｌｉｎｇ  ｖｅｈｉｃｌｅ  ｒａｄｉｏ  ｎｅｔｗｏｒｋ  ｔｅｍｐｏｒａｒｙ  ｉｄｅｎｔｉｆｉｅｒ：ＳＬ−ＳＰＳ−Ｖ−ＲＮＴＩ）でアドレシングされたＰＤＣＣＨに対して行われる。ＮＲ  ｇＮＢはＬＴＥ  ＲＡＴ及びＮＲ  ＲＡＴに基づいてＳＬ通信のためにＳＬ−ＳＰＳ−Ｖ−ＲＮＴＩを個別に設定することができる。上述した動作は、更にＬＴＥ  ＲＡＴ及びＮＲ  ＲＡＴに基づいてＳＬ通信のためにＳＬ−ＳＰＳ−Ｖ−ＲＮＴＩでアドレシングされたＰＤＣＣＨに対して行われる。
【００４８】
＜実施例２＞
【００４９】
図２は、一実施形態によるＵＥとｇＮＢとの間のシグナリングの流れの第２例を示す図である。図２で、ＳＬグラントはＬＴＥ  ＲＡＴ又はＮＲ  ＲＡＴに基づくＳＬ通信のためのものである。
【００５０】
活性化されたサービングセルの場合、ＵＥがこのようなサービングセルの活性ＤＬ  ＢＷＰ上で、ＳＬグラントを示すＳＬ−Ｖ−ＲＮＴＩでアドレシングされたＰＤＣＣＨを受信し、このようなサービングセルに関連付けられた進行中のランダムアクセス手順がない場合、ＵＥは活性ＤＬ  ＢＷＰに関連付けられたｂｗｐ−ＩｎａｃｔｉｖｉｔｙＴｉｍｅｒを開始するか又は再び開始する。
【００５１】
ＵＥには一つ以上のサービングセルが設定される。活性化された各々のサービングセルに対して、一つ以上のＢＷＰがＲＲＣシグナリングを用いてｇＮＢによって設定される。活性化されたサービングセル毎に一つの活性ＤＬ  ＢＷＰ及びＵＬ  ＢＷＰがある。Ｖ２Ｘ  ＳＬ通信に関心のあるＵＥは、段階２１０でＶ２Ｘ  ＳＬ通信のためのリソースをリクエストするシグナリングメッセージ（例えば、ＳｉｄｅｌｉｎｋＵＥＩｎｆｏｒｍａｔｉｏｎメッセージ）を送信する。ｇＮＢは、一つ以上のＳＬ−Ｖ−ＲＮＴＩをＵＥに割り当て、段階２２０で割り当てられた一つ以上のＳＬ−Ｖ−ＲＮＴＩを含むＲＲＣ接続再設定メッセージを送信する。ｇＮＢはＳＬ−Ｖ−ＲＮＴＩでアドレシングされたＰＤＣＣＨを送信し、ＵＥは、段階２３０でＳＬ−Ｖ−ＲＮＴＩでアドレシングされたＰＤＣＣＨに対してモニタリングする。ＳＬ−Ｖ−ＲＮＴＩでアドレシングされたＰＤＣＣＨはＶ２Ｘ  ＳＬ通信のためのＳＬグラントを示す。
【００５２】
ＵＥが、サービングセルＹの活性ＤＬ  ＢＷＰ上で、ＳＬ−Ｖ−ＲＮＴＩでアドレシングされたＰＤＣＣＨを受信し、段階２４０でサービングセルＹに関連付けられた進行中のランダムアクセス手順がない場合、ＵＥはサービングセルＹの活性ＤＬ  ＢＷＰ  Ｘに関連付けられたｂｗｐ−ＩｎａｃｔｉｖｉｔｙＴｉｍｅｒを開始するか又は再び開始する。このような動作は、基本ＤＬ  ＢＷＰが設定されて活性ＤＬ  ＢＷＰが基本ＤＬ  ＢＷＰではない場合に行われ、また基本ＤＬ  ＢＷＰが設定されずに活性ＤＬ  ＢＷＰが初期ＤＬ  ＢＷＰではない場合に行われる。
【００５３】
代案として、ＵＥが、サービングセルＹの活性ＤＬ  ＢＷＰ上で、ＳＬ−Ｖ−ＲＮＴＩでアドレシングされたＰＤＣＣＨを受信し、サービングセルＹに関連付けられた進行中のランダムアクセス手順がなくサービングセルがＴＤＤセルの場合、ＵＥはサービングセルＹの活性ＤＬ  ＢＷＰ  Ｘに関連付けられたｂｗｐ−ＩｎａｃｔｉｖｉｔｙＴｉｍｅｒを開始するか又は再び開始する。このような動作は、基本ＤＬ  ＢＷＰが設定されて活性ＤＬ  ＢＷＰが基本ＤＬ  ＢＷＰではない場合に行われ、また基本ＤＬ  ＢＷＰが設定されずに活性ＤＬ  ＢＷＰが初期ＤＬ  ＢＷＰではない場合に行われる。
【００５４】
上述した方法は、更にＳＬ−ＳＰＳ−Ｖ−ＲＮＴＩでアドレシングされたＰＤＣＣＨに対して行われる。ＮＲ  ｇＮＢはＬＴＥ  ＲＡＴ及びＮＲ  ＲＡＴに基づいてＳＬ通信のためにＳＬ−ＳＰＳ−Ｖ−ＲＮＴＩを個別に設定することができる。上述した動作は、更にＬＴＥ  ＲＡＴ及びＮＲ  ＲＡＴに基づいてＳＬ通信のためにＳＬ−ＳＰＳ−Ｖ−ＲＮＴＩでアドレシングされたＰＤＣＣＨに対して行われる。
【００５５】
＜実施例３＞
【００５６】
図３は、一実施形態によるＵＥとｇＮＢとの間のシグナリングの流れの第３例を示す図である。図３で、ＳＬグラントはＬＴＥ  ＲＡＴ又はＮＲ  ＲＡＴに基づくＳＬ通信のためのものである。
【００５７】
活性化されたサービングセルの場合、ＵＥがこのようなサービングセルの活性ＤＬ  ＢＷＰに対してＳＬグラントを示すＳＬ−Ｖ−ＲＮＴＩでアドレシングされたＰＤＣＣＨを受信すると、ＵＥは活性ＤＬ  ＢＷＰに関連付けられたｂｗｐ−ＩｎａｃｔｉｖｉｔｙＴｉｍｅｒを開始するか又は再び開始する。
【００５８】
ＵＥには一つ以上のサービングセルが設定される。活性化された各々のサービングセルに対して、一つ以上のＢＷＰがＲＲＣシグナリングを用いてｇＮＢによって設定される。活性化されたサービングセル毎に一つの活性ＤＬ  ＢＷＰ及びＵＬ  ＢＷＰがある。Ｖ２Ｘ  ＳＬ通信に関心のあるＵＥは、段階３１０でＶ２Ｘ  ＳＬ通信のためのリソースをリクエストするためのシグナリングメッセージ（例えば、ＳｉｄｅｌｉｎｋＵＥＩｎｆｏｒｍａｔｉｏｎメッセージ）を送信する。ｇＮＢは、一つ以上のＳＬ−Ｖ−ＲＮＴＩをＵＥに割り当て、段階３２０で割り当てられた一つ以上のＳＬ−Ｖ−ＲＮＴＩを含むＲＲＣ接続再設定メッセージをＵＥに送信する。ｇＮＢはＳＬ−Ｖ−ＲＮＴＩでアドレシングされたＰＤＣＣＨを送信し、ＵＥは、段階３３０でＳＬ−Ｖ−ＲＮＴＩでアドレシングされたＰＤＣＣＨに対してモニタリングする。ＳＬ−Ｖ−ＲＮＴＩでアドレシングされたＰＤＣＣＨはＶ２Ｘ  ＳＬ通信のためのＳＬグラントを示す。
【００５９】
ＵＥが、サービングセルＺのＢＷＰに対するＳＬグラントを示すサービングセルＹの活性ＤＬ  ＢＷＰ上で、ＳＬ−Ｖ−ＲＮＴＩでアドレシングされたＰＤＣＣＨを受信すると、ＵＥは、段階３４０でＢＷＰ  ＩＤ  Ｘ１が設定されるサービングセルＺの活性ＤＬ  ＢＷＰに関連付けられたｂｗｐ−ＩｎａｃｔｉｖｉｔｙＴｉｍｅｒを開始するか又は再び開始する。このような動作は、基本ＤＬ  ＢＷＰが設定されて活性ＤＬ  ＢＷＰが基本ＤＬ  ＢＷＰではない場合、又は基本ＤＬ  ＢＷＰが設定されずに活性ＤＬ  ＢＷＰが初期ＤＬ  ＢＷＰではない場合に行われる。
【００６０】
代案として、ＵＥが、サービングセルＺのＢＷＰに対するＳＬグラントを示すサービングセルＹの活性ＤＬ  ＢＷＰ上で、ＳＬ−Ｖ−ＲＮＴＩでアドレシングされたＰＤＣＣＨを受信し、サービングセルＺがＴＤＤセルの場合、ＵＥはサービングセルＺの活性ＤＬ  ＢＷＰに関連付けられたｂｗｐ−ＩｎａｃｔｉｖｉｔｙＴｉｍｅｒを開始するか又は再び開始する。このような動作は、基本ＤＬ  ＢＷＰが設定されて活性ＤＬ  ＢＷＰが基本ＤＬ  ＢＷＰではない場合、又は基本ＤＬ  ＢＷＰが設定されずに活性ＤＬ  ＢＷＰが初期ＤＬ  ＢＷＰではない場合に行われる。
【００６１】
上述した動作は、更にＳＬ−ＳＰＳ−Ｖ−ＲＮＴＩでアドレシングされたＰＤＣＣＨに対して行われる。ＮＲ  ｇＮＢはＬＴＥ  ＲＡＴ及びＮＲ  ＲＡＴに基づいてＳＬ通信のためにＳＬ−ＳＰＳ−Ｖ−ＲＮＴＩを個別に設定することができる。上述した動作は、更にＬＴＥ  ＲＡＴ及びＮＲ  ＲＡＴに基づいてＳＬ通信のためにＳＬ−ＳＰＳ−Ｖ−ＲＮＴＩでアドレシングされたＰＤＣＣＨに対して行われる。
【００６２】
＜実施例４＞
【００６３】
図４は、一実施形態によるＵＥとｇＮＢとの間のシグナリングの流れの第４例を示す図である。図４で、ＳＬグラントはＬＴＥ  ＲＡＴ又はＮＲ  ＲＡＴに基づくＳＬ通信のためのものである。
【００６４】
活性化されたサービングセルの場合、ＵＥがこのようなサービングセルの活性ＤＬ  ＢＷＰに対してＳＬグラントを示すＳＬ−Ｖ−ＲＮＴＩでアドレシングされたＰＤＣＣＨを受信し、このようなサービングセルに関連付けられた進行中のランダムアクセス手順がない場合、ＵＥは活性ＤＬ  ＢＷＰに関連付けられたｂｗｐ−ＩｎａｃｔｉｖｉｔｙＴｉｍｅｒを開始するか又は再び開始する。
【００６５】
ＵＥには一つ以上のサービングセルが設定される。活性化された各々のサービングセルに対して、一つ以上のＢＷＰがＲＲＣシグナリングを用いてｇＮＢによって設定される。活性化されたサービングセル毎に一つの活性ＤＬ  ＢＷＰ及びＵＬ  ＢＷＰがある。Ｖ２Ｘ  ＳＬ通信に関心のあるＵＥは、段階４１０でＶ２Ｘ  ＳＬ通信のためのリソースをリクエストするシグナリングメッセージ（例えば、ＳｉｄｅｌｉｎｋＵＥＩｎｆｏｒｍａｔｉｏｎメッセージ）をｇＮＢに送信する。ｇＮＢは、一つ以上のＳＬ−Ｖ−ＲＮＴＩをＵＥに割り当てて、段階４２０で割り当てられた一つ以上のＳＬ−Ｖ−ＲＮＴＩを含むＲＲＣ接続再設定メッセージをＵＥに送信する。ｇＮＢはＳＬ−Ｖ−ＲＮＴＩでアドレシングされたＰＤＣＣＨを送信し、ＵＥは、段階４３０でＳＬ−Ｖ−ＲＮＴＩでアドレシングされたＰＤＣＣＨに対してモニタリングする。ＳＬ−Ｖ−ＲＮＴＩでアドレシングされたＰＤＣＣＨはＶ２Ｘ  ＳＬ通信のためのＳＬグラントを示す。
【００６６】
ＵＥが、サービングセルＺのＢＷＰに対するＳＬグラントを示すサービングセルＹの活性ＤＬ  ＢＷＰ上で、ＳＬ−Ｖ−ＲＮＴＩでアドレシングされたＰＤＣＣＨを受信し、サービングセルＹに関連付けられた進行中のランダムアクセス手順がない場合、ＵＥは、段階４４０でサービングセルＺの活性ＤＬ  ＢＷＰに関連付けられたｂｗｐ−ＩｎａｃｔｉｖｉｔｙＴｉｍｅｒを開始するか又は再び開始する。このような動作は、基本ＤＬ  ＢＷＰが設定されて活性ＤＬ  ＢＷＰが基本ＤＬ  ＢＷＰではない場合、又は基本ＤＬ  ＢＷＰが設定されずに活性ＤＬ  ＢＷＰが初期ＤＬ  ＢＷＰではない場合に行われる。
【００６７】
代案として、ＵＥが、サービングセルＺのＢＷＰに対するＳＬグラントを示すサービングセルＹの活性ＤＬ  ＢＷＰ上で、ＳＬ−Ｖ−ＲＮＴＩでアドレシングされたＰＤＣＣＨを受信し、サービングセルＺがＴＤＤセルであり、サービングセルＺに関連付けられた進行中のランダムアクセス手順がない場合、ＵＥはサービングセルＺの活性ＤＬ  ＢＷＰに関連付けられたｂｗｐ−ＩｎａｃｔｉｖｉｔｙＴｉｍｅｒを開始するか又は再び開始する。このような動作は、基本ＤＬ  ＢＷＰが設定されて活性ＤＬ  ＢＷＰが基本ＤＬ  ＢＷＰではない場合、又は基本ＤＬ  ＢＷＰが設定されずに活性ＤＬ  ＢＷＰが初期ＤＬ  ＢＷＰではない場合に行われる。
【００６８】
上述した動作は、更にＳＬ−ＳＰＳ−Ｖ−ＲＮＴＩでアドレシングされたＰＤＣＣＨに対して行われる。ＮＲ  ｇＮＢはＬＴＥ  ＲＡＴ及びＮＲ  ＲＡＴに基づいてＳＬ通信のためにＳＬ−ＳＰＳ−Ｖ−ＲＮＴＩを個別に設定することができる。上述した動作は、更にＬＴＥ  ＲＡＴ及びＮＲ  ＲＡＴに基づいてＳＬ通信のためにＳＬ−ＳＰＳ−Ｖ−ＲＮＴＩでアドレシングされたＰＤＣＣＨに対して行われる。
【００６９】
＜実施例５：＞
【００７０】
図５は、一実施形態によるＵＥとｇＮＢとの間のシグナリングの流れの第５例を示す図である。
【００７１】
活性化されたサービングセルに対して、ＵＥがこのようなサービングセルの活性ＢＷＰ上で自律ＳＬリソースを用いて（即ち、共通送信（ＴＸ）リソースプールからリソースをランダムに選択するか又はセンシングに基づいて選択することによって）ＳＬ  ＭＡＣパケットデータユニット（ｐａｃｋｅｔ  ｄａｔａ  ｕｎｉｔ：ＰＤＵ）を送信する場合、ＵＥはこのようなサービングセルの活性ＤＬ  ＢＷＰに関連付けられたｂｗｐ−ＩｎａｃｔｉｖｉｔｙＴｉｍｅｒを開始するか又は再び開始する。
【００７２】
ＵＥには一つ以上のサービングセルが設定される。活性化された各々のサービングセルに対して、一つ以上のＢＷＰがＲＲＣシグナリングを用いてｇＮＢによって設定される。活性化されたサービングセル毎に一つの活性ＤＬ  ＢＷＰ及びＵＬ  ＢＷＰがある。Ｖ２Ｘ  ＳＬ通信に関心のあるＵＥは、段階５１０でＶ２Ｘ  ＳＬ通信のためのリソースをリクエストするためのシグナリングメッセージ（例えば、ＳｉｄｅｌｉｎｋＵＥＩｎｆｏｒｍａｔｉｏｎメッセージ）をｇＮＢに送信する。ｇＮＢは、一つ以上の共通ＴＸリソースプールをＵＥに割り当て、段階５２０でＲＲＣ接続再設定メッセージをＵＥに送信する。ＵＥは、段階５３０でリソースプールからリソースを選択してＳＬ  ＭＡＣ  ＰＤＵを送信する。ｇＮＢは更にＶ２Ｘ  ＳＬ通信のためのＳＬ  ＳＰＳグラントを設定する。ＵＥはＳＬ  ＳＰＳグラントでもＳＬ  ＭＡＣ  ＰＤＵを送信する。
【００７３】
ＳＬ  ＭＡＣ  ＰＤＵがサービングセルの活性ＵＬ  ＢＷＰ上で送信されると、ＵＥは、段階５４０でこのようなサービングセルの活性ＤＬ  ＢＷＰに関連付けられたｂｗｐ−ＩｎａｃｔｉｖｉｔｙＴｉｍｅｒを開始するか又は再び開始する。このような動作は、基本ＤＬ  ＢＷＰが設定されて活性ＤＬ    ＢＷＰが基本ＤＬ  ＢＷＰではない場合、又は基本ＤＬ  ＢＷＰが設定されずに活性ＤＬ  ＢＷＰが初期ＤＬ  ＢＷＰではない場合に行われる。
【００７４】
代案として、ＳＬ  ＭＡＣ  ＰＤＵがサービングセルの活性ＵＬ  ＢＷＰ上で送信されてサービングセルがＴＤＤセルの場合、ＵＥはこのようなサービングセルの活性ＤＬ  ＢＷＰに関連付けられたｂｗｐ−ＩｎａｃｔｉｖｉｔｙＴｉｍｅｒを開始するか又は再び開始する。このような動作は、基本ＤＬ  ＢＷＰが設定されて活性ＤＬ  ＢＷＰが基本ＤＬ  ＢＷＰではない場合、又は基本ＤＬ  ＢＷＰが設定されずに活性ＤＬ  ＢＷＰが初期ＤＬ  ＢＷＰではない場合に行われる。
【００７５】
＜実施例６＞
【００７６】
本発明の実施例で、活性化されたサービングセルに対して、ＵＥがこのようなサービングセルの活性ＢＷＰ上でＳＬ  ＭＡＣ  ＰＤＵを受信すると、ＵＥはこのようなサービングセルの活性ＤＬ  ＢＷＰに関連付けられたｂｗｐ−ＩｎａｃｔｉｖｉｔｙＴｉｍｅｒを開始するか又は再び開始する。
【００７７】
ＵＥには一つ以上のサービングセルが設定される。活性化された各々のサービングセルに対して、一つ以上のＢＷＰがＲＲＣシグナリングを用いてｇＮＢによって設定される。活性化されたサービングセル毎に一つの活性ＤＬ  ＢＷＰ及びＵＬ  ＢＷＰがある。
【００７８】
ＳＬ  ＭＡＣ  ＰＤＵがサービングセルの活性ＵＬ  ＢＷＰ上で受信されると、ＵＥはこのようなサービングセルの活性ＤＬ  ＢＷＰに関連付けられたｂｗｐ−ＩｎａｃｔｉｖｉｔｙＴｉｍｅｒを開始するか又は再び開始する。このような動作は、基本ＤＬ  ＢＷＰが設定されて活性ＤＬ  ＢＷＰが基本ＤＬ  ＢＷＰではない場合、又は基本ＤＬ  ＢＷＰが設定されずに活性ＤＬ  ＢＷＰが初期ＤＬ  ＢＷＰではない場合に行われる。
【００７９】
代案として、ＳＬ  ＭＡＣ  ＰＤＵがサービングセルの活性ＵＬ  ＢＷＰ上で受信されてサービングセルがＴＤＤセルの場合、ＵＥはこのようなサービングセルの活性ＤＬ  ＢＷＰに関連付けられたｂｗｐ−ＩｎａｃｔｉｖｉｔｙＴｉｍｅｒを開始するか又は再び開始する。このような動作は、基本ＤＬ  ＢＷＰが設定されて活性ＤＬ  ＢＷＰが基本ＤＬ  ＢＷＰではない場合、又は基本ＤＬ  ＢＷＰが設定されずに活性ＤＬ  ＢＷＰが初期ＤＬ  ＢＷＰではない場合に行われる。
【００８０】
≪２．Ｖ２Ｘ  ＳＬ通信のためのリソース割り当て≫
【００８１】
＜実施例１＞
【００８２】
ＵＥには一つ以上のサービングセルが設定される。活性化された各々のサービングセルに対して、一つ以上のＢＷＰがＲＲＣシグナリングを用いてｇＮＢによって設定される。活性化されたサービングセル毎に一つの活性ＤＬ  ＢＷＰ及び一つの活性ＵＬ  ＢＷＰがある。Ｖ２Ｘ  ＳＬ通信に関心のあるＵＥはＶ２Ｘ  ＳＬ送信のためのリソースをリクエストするためのシグナリングメッセージ（例えば、ＳｉｄｅｌｉｎｋＵＥＩｎｆｏｒｍａｔｉｏｎメッセージ）を送信する。ＵＥはＶ２Ｘ  ＳＬ送信のための一つ以上の周波数及びＶ２Ｘ  ＳＬ送信目的地のリストを示す。スケジューリングされたリソース割り当てのために、ｇＮＢは一つ以上のＳＬ−Ｖ−ＲＮＴＩをＵＥに割り当てる。ｇＮＢは更に一つ以上のｖ２ｘ−ＳｃｈｅｄｕｌｉｎｇＰｏｏｌをシグナリングする。各々のｖ２ｘ−ＳｃｈｅｄｕｌｉｎｇＰｏｏｌはＶ２Ｘ  ＳＬ送信のためのＴｘリソースのプールを示す。現在の設計で各々のシグナリングされたｖ２ｘ−ＳｃｈｅｄｕｌｉｎｇＰｏｏｌはＶ２Ｘ  ＳＬ通信に用いられる搬送波周波数（サービング又は非サービング）に関連付けられる。
【００８３】
ｇＮＢは、Ｖ２Ｘ  ＳＬ通信のための一つ以上の搬送波周波数又はそれぞれのｖ２ｘ−ＳｃｈｅｄｕｌｉｎｇＰｏｏｌがＵＬ  ＢＷＰに関連付けられるセルに対して一つ以上のｖ２ｘ−ＳｃｈｅｄｕｌｉｎｇＰｏｏｌをシグナリングする。言い換えると、ｇＮＢは、一つ以上のｖ２ｘ−ＳｃｈｅｄｕｌｉｎｇＰｏｏｌをシグナリングし、各々のスケジューリングプールに対して関連付けられた搬送波周波数（又はセルリスト）及びＢＷＰ情報を示す。関連付けられた搬送波周波数のシグナリングは、サービング周波数（例えば、特殊セル（ＳｐＣｅｌｌ）の搬送波周波数）に関連付けられたｖ２ｘ−ＳｃｈｅｄｕｌｉｎｇＰｏｏｌに対してスキップ（ｓｋｉｐ）することができる。設定されたサービングセルのうちの一つ以上のＶ２Ｘ  ＳＬ送信に対して、搬送波周波数情報（即ち、絶対無線周波数チャンネル番号（ａｂｓｏｌｕｔｅ  ｒａｄｉｏ  ｆｒｅｑｕｅｎｃｙ  ｃｈａｎｎｅｌ  ｎｕｍｂｅｒ：ＡＲＦＣＮ））の代りにサービングセルインデックスを用いることができる。搬送波周波数及びＢＷＰ情報に関連付けられたｖ２ｘ−ＳｃｈｅｄｕｌｉｎｇＰｏｏｌをシグナリングする一例は次の通りである：
【００８４】
＜例１＞
【００８５】
ＢＷＰのリストは（例えば、ＲＲＣ再設定メッセージで）ｇＮＢによってシグナリングされる。このようなリストはサービングセル／周波数毎に提供される。
−ＢＷＰ設定１（ＢＷＰ  ＩＤ、副搬送波間隔（ｓｕｂｃａｒｒｉｅｒ  ｓｐａｃｉｎｇ：ＳＣＳ）、このようなＢＷＰの位置及び帯域幅など）
−ＢＷＰ設定２（ＢＷＰ  ＩＤ、ＳＣＳ、このようなＢＷＰの位置及び帯域幅など）
−ＢＷＰ設定３（ＢＷＰ  ＩＤ、ＳＣＳ、このようなＢＷＰの位置及び帯域幅など）
−など。
【００８６】
ｖ２ｘ−ＳｃｈｅｄｕｌｉｎｇＰｏｏｌｓのリストは（例えば、ＲＲＣ再設定メッセージで）シグナリングされる。
【００８７】
−ｖ２ｘ−ＳｃｈｅｄｕｌｉｎｇＰｏｏｌ１：搬送波周波数、ＢＷＰ  ＩＤ、ｖ２ｘ−ＳｃｈｅｄｕｌｉｎｇＰｏｏｌ設定パラメーター
−ｖ２ｘ−ＳｃｈｅｄｕｌｉｎｇＰｏｏｌ２：搬送波周波数、ＢＷＰ  ＩＤ、ｖ２ｘ−ＳｃｈｅｄｕｌｉｎｇＰｏｏｌ設定パラメーター
−ｖ２ｘ−ＳｃｈｅｄｕｌｉｎｇＰｏｏｌ３：搬送波周波数、ＢＷＰ  ＩＤ、ｖ２ｘ−ＳｃｈｅｄｕｌｉｎｇＰｏｏｌ設定パラメーター
−など。
【００８８】
＜  例２＞
【００８９】
ＢＷＰのリストは（例えば、ＲＲＣ再設定メッセージで）ｇＮＢによってシグナリングされる。このようなリストはサービングセル／周波数毎に提供される。
−ＢＷＰ設定１（ＢＷＰ  ＩＤ、ＳＣＳ、このようなＢＷＰの位置及び帯域幅など）
−ＢＷＰ設定２（ＢＷＰ  ＩＤ、ＳＣＳ、このようなＢＷＰの位置及び帯域幅など）
−ＢＷＰ設定３（ＢＷＰ  ＩＤ、ＳＣＳ、このようなＢＷＰの位置及び帯域幅など）
−など。
【００９０】
ｖ２ｘ−ＳｃｈｅｄｕｌｉｎｇＰｏｏｌｓのリストは周波数毎にシグナリングされる。
【００９１】
周波数のリストは（例えば、ＲＲＣ再設定メッセージで）ｇＮＢによってシグナリングされる。
−搬送波周波数１
＿■ｖ２ｘ−ＳｃｈｅｄｕｌｉｎｇＰｏｏｌ１：ＢＷＰ  ＩＤ、ｖ２ｘ−ＳｃｈｅｄｕｌｉｎｇＰｏｏｌ設定
＿■ｖ２ｘ−ＳｃｈｅｄｕｌｉｎｇＰｏｏｌ２：ＢＷＰ  ＩＤ、ｖ２ｘ−ＳｃｈｅｄｕｌｉｎｇＰｏｏｌ設定
＿■ｖ２ｘ−ＳｃｈｅｄｕｌｉｎｇＰｏｏｌ３：ＢＷＰ  ＩＤ、ｖ２ｘ−ＳｃｈｅｄｕｌｉｎｇＰｏｏｌ設定
＿■など。
−搬送波周波数２
＿■ｖ２ｘ−ＳｃｈｅｄｕｌｉｎｇＰｏｏｌ１：ＢＷＰ  ＩＤ、ｖ２ｘ−ＳｃｈｅｄｕｌｉｎｇＰｏｏｌ設定
＿■ｖ２ｘ−ＳｃｈｅｄｕｌｉｎｇＰｏｏｌ２：ＢＷＰ  ＩＤ、ｖ２ｘ−ＳｃｈｅｄｕｌｉｎｇＰｏｏｌ設定
＿■ｖ２ｘ−ＳｃｈｅｄｕｌｉｎｇＰｏｏｌ３：ＢＷＰ  ＩＤ、ｖ２ｘ−ＳｃｈｅｄｕｌｉｎｇＰｏｏｌ設定
＿■など。
−搬送波周波数３
＿■ｖ２ｘ−ＳｃｈｅｄｕｌｉｎｇＰｏｏｌ１：ＢＷＰ  ＩＤ、ｖ２ｘ−ＳｃｈｅｄｕｌｉｎｇＰｏｏｌ設定
＿■ｖ２ｘ−ＳｃｈｅｄｕｌｉｎｇＰｏｏｌ２：ＢＷＰ  ＩＤ、ｖ２ｘ−ＳｃｈｅｄｕｌｉｎｇＰｏｏｌ設定
＿■ｖ２ｘ−ＳｃｈｅｄｕｌｉｎｇＰｏｏｌ３：ＢＷＰ  ＩＤ、ｖ２ｘ−ＳｃｈｅｄｕｌｉｎｇＰｏｏｌ設定
＿■など。
−など。
【００９２】
ｇＮＢからｖ２ｘ−ＳｃｈｅｄｕｌｉｎｇＰｏｏｌ（ｓ）を受信した後、ＵＥはＳＬ−Ｖ−ＲＮＴＩでアドレシングされたＰＤＣＣＨに対してモニタリングする。ＳＬ−Ｖ−ＲＮＴＩでアドレシングされたＰＤＣＣＨのＤＣＩは、ＳＬグラント、即ちＶ２Ｘ  ＳＬ送信のためのＴｘリソースを示す。ＤＣＩはＶ２Ｘ  ＳＬ送信のためにＵＥに割り当てられたＴｘリソースを示すリソース情報を含む。ＰＤＣＣＨに示されるＴｘリソースはｖ２ｘ−ＳｃｈｅｄｕｌｉｎｇＰｏｏｌからのＴｘリソースのうちの一つである。異なる搬送波周波数に関連付けられた多数のｖ２ｘ−ＳｃｈｅｄｕｌｉｎｇＰｏｏｌが設定された場合、ＰＤＣＣＨはＣＩＦ（ｃａｒｒｉｅｒ  ｉｎｄｉｃａｔｏｒ  ｆｉｅｌｄ）を用いてＳＬグラントに関連付けられた搬送波周波数を示す。搬送波間のスケジューリングされたリソース割り当ての場合、ＤＣＩにおけるＣＩＦ＝１はこのような周波数リストの第１のエントリーに相応し、ＣＩＦ＝２は第２のエントリーに該当する。ＤＣＩにおけるＣＩＦ＝０はＤＣＩが受信される周波数に該当する。ＰＤＣＣＨに示されるＴｘリソースはＣＩＦによって示される搬送波周波数に相応するｖ２ｘ−ＳｃｈｅｄｕｌｉｎｇＰｏｏｌからのＴｘリソースのうちの一つである。
【００９３】
ＳＬ−Ｖ−ＲＮＴＩでアドレシングされたＰＤＣＣＨのＤＣＩは更にＢＷＰ  ＩＤを含む。ＰＤＣＣＨに示されるＴｘリソースはｖ２ｘ−ＳｃｈｅｄｕｌｉｎｇＰｏｏｌからのＴｘリソースのうちの一つであり、ここでｖ２ｘ−ＳｃｈｅｄｕｌｉｎｇＰｏｏｌはＣＩＦによって示される搬送波周波数及びＢＷＰ  ＩＤフィールドによって示されるＵＬ  ＢＷＰが該当する。ＵＥは受信されたＳＬグラントを用いてＣＩＦによって示される搬送波周波数のＢＷＰ  ＩＤによって識別されるＵＬ  ＢＷＰ上でＶ２Ｘ  ＳＬ送信信号（ｔｒａｎｓｍｉｓｓｉｏｎ）を送信する。ＳＬ通信のためにＵＬ  ＢＷＰを用いる代りに一つ以上のＳＬ  ＢＷＰを設定することができる。これはＤＬ及びＵＬ  ＢＷＰに付加される。２つ以上のＳＬ  ＢＷＰが設定される場合、ＰＤＣＣＨはＢＷＰ  ＩＤを含むことができる。ＰＤＣＣＨに含まれるＢＷＰ  ＩＤはＳＬ  ＢＷＰを示し、ここでｖ２ｘ−ＳｃｈｅｄｕｌｉｎｇＰｏｏｌはＳＬ  ＢＷＰに該当する。一つのＳＬ  ＢＷＰのみが設定される場合、ＰＤＣＣＨはＢＷＰ  ＩＤを含まず、ＰＤＣＣＨに示されるＴｘリソースはｖ２ｘ−ＳｃｈｅｄｕｌｉｎｇＰｏｏｌからのＴｘリソースのうちの一つであり、ここでｖ２ｘ−ＳｃｈｅｄｕｌｉｎｇＰｏｏｌはＣＩＦによって示される搬送波周波数上でＳＬ  ＢＷＰに該当する。
【００９４】
ＳＬ−Ｖ−ＲＮＴＩでアドレシングされたＰＤＣＣＨを受信すると、ＵＥは受信されたＰＤＣＣＨのＤＣＩからＢＷＰ  ＩＤ及びＣＩＦを獲得する。ＵＥはｇＮＢによって設定された一つ以上のｖ２ｘ−ＳｃｈｅｄｕｌｉｎｇＰｏｏｌｓからＣＩＦによって示される搬送波周波数とＢＷＰ  ＩＤフィールドによって示されるＵＬ  ＢＷＰに相応するｖ２ｘ−ＳｃｈｅｄｕｌｉｎｇＰｏｏｌとを決定する。次に、ＵＥはＤＣＩのリソース情報を用いてＶ２Ｘ  ＳＬ送信に用いられる決定されたｖ２ｘ−ＳｃｈｅｄｕｌｉｎｇＰｏｏｌからＴｘリソースを識別する。次に、ＵＥはＤＣＩに示されるＵＬ  ＢＷＰ及び搬送波周波数上でＶ２Ｘ  ＳＬ送信を行う。
【００９５】
ＳＬ−Ｖ−ＲＮＴＩでアドレシングされたＰＤＣＣＨを受信すると、ＵＥは受信されたＰＤＣＣＨのＤＣＩからＢＷＰ  ＩＤ及びＣＩＦを獲得する。ＵＥはｇＮＢによって設定された一つ以上のｖ２ｘ−ＳｃｈｅｄｕｌｉｎｇＰｏｏｌｓからＣＩＦによって示された搬送波周波数とＢＷＰ  ＩＤフィールドによって示されたＳＬ  ＢＷＰに相応するｖ２ｘ−ＳｃｈｅｄｕｌｉｎｇＰｏｏｌとを決定する。次に、ＵＥは、ＤＣＩのリソース情報を用いてＶ２Ｘ  ＳＬ送信に用いられる決定されたｖ２ｘ−ＳｃｈｅｄｕｌｉｎｇＰｏｏｌからＴｘリソースを識別し、ＤＣＩに示される搬送波周波数のＳＬ  ＢＷＰ上でＶ２Ｘ  ＳＬ送信を行う。ＢＷＰ  ＩＤは周波数当たりＳＬ  ＢＷＰが一つだけある場合にＤＣＩでスキップされる。
【００９６】
受信されたＳＬグラントに相応するＶ２Ｘ  ＳＬ送信のための搬送波周波数が活性化されたサービングセルのうちの一つに相応し、活性ＵＬ  ＢＷＰが受信されたＳＬグラントのＵＬ  ＢＷＰと同じではなく、ＵＥが多数のＢＷＰ上で同時に動作することができない場合、ＵＥは、活性ＵＬ  ＢＷＰを受信されたＳＬグラントのＵＬ  ＢＷＰで転換し、Ｖ２Ｘ  ＳＬ送信を行う。
【００９７】
図６は、一実施形態によるＶ２Ｘサイドリンク（ＳＬ）通信のリソース割り当てのための手順の第１例を示す図である。
【００９８】
図６を参照すると、Ｖ２Ｘ  ＳＬ通信に関心のあるＵＥは、段階６１０でＶ２Ｘ  ＳＬ送信のためのリソースをリクエストするシグナリングメッセージ（例えば、ＳｉｄｅｌｉｎｋＵＥＩｎｆｏｒｍａｔｉｏｎメッセージ）をｇＮＢに送信する。Ｖ２Ｘ  ＳＬ送信リソースに対するＵＥのリクエストに応答して、ｇＮＢは、段階６２０でＳＬ−Ｖ−ＲＮＴＩ及び４個のｖ２ｘ−ＳｃｈｅｄｕｌｉｎｇＰｏｏｌをシグナリングする。ｖ２ｘ−ＳｃｈｅｄｕｌｉｎｇＰｏｏｌ１は搬送波周波数Ｆ１及びＢＷＰ  ＩＤ１を有するＵＬ  ＢＷＰに関連付けられる。ｖ２ｘ−ＳｃｈｅｄｕｌｉｎｇＰｏｏｌ２は搬送波周波数Ｆ１及びＢＷＰ  ＩＤ４を有するＵＬ  ＢＷＰに関連付けられる。ｖ２ｘ−ＳｃｈｅｄｕｌｉｎｇＰｏｏｌ３は搬送波周波数Ｆ２及びＢＷＰ  ＩＤ１を有するＵＬ  ＢＷＰに連関付けられる。ｖ２ｘ−ＳｃｈｅｄｕｌｉｎｇＰｏｏｌ４は搬送波周波数Ｆ２及びＢＷＰ  ＩＤ２を有するＵＬ  ＢＷＰに関連付けられる。
【００９９】
ｇＮＢからｖ２ｘ−ＳｃｈｅｄｕｌｉｎｇＰｏｏｌｓを受信した後、ＵＥはＳＬ−Ｖ−ＲＮＴＩでアドレシングされたＰＤＣＣＨに対してモニタリングする。ＵＥは、段階６３０で、ＳＬ−Ｖ−ＲＮＴＩでアドレシングされたＰＤＣＣＨを受信する。ＤＣＩが、ＳＬグラントがＦ２及びＵＬ  ＢＷＰ１に対するものであることを示すと、ＵＥは、段階６４０で、ＤＣＩのリソース情報を用いてＶ２Ｘ  ＳＬ送信に用いられる決定されたｖ２ｘ−ＳｃｈｅｄｕｌｉｎｇＰｏｏｌ３からＴｘリソースを識別する。次に、ＵＥは、段階６５０で、搬送波周波数Ｆ２のＵＬ  ＢＷＰ１上で受信されたＳＬグラントに基づいてＶ２Ｘ  ＳＬ送信を行う。一つ以上のＳＬ  ＢＷＰはＳＬ通信のためにＵＬ  ＢＷＰを用いる代りにＳＬ通信のために設定される。この場合、‘ＵＬ  ＢＷＰ’を‘ＳＬ  ＢＷＰ’で置き替えて手順が適用される。
【０１００】
Ｖ２Ｘ  ＳＬ送信リソースに対するＵＥのリクエストに応答して、ｇＮＢはＳＬ−Ｖ−ＲＮＴＩ及び４個のｖ２ｘ−ＳｃｈｅｄｕｌｉｎｇＰｏｏｌをシグナリングする。ｖ２ｘ−ＳｃｈｅｄｕｌｉｎｇＰｏｏｌ１は搬送波周波数Ｆ１及びＢＷＰ  ＩＤ１を有するＳＬ  ＢＷＰに連関付けられる。ｖ２ｘ−ＳｃｈｅｄｕｌｉｎｇＰｏｏｌ２は搬送波周波数Ｆ１及びＢＷＰ  ＩＤ４を有するＳＬ  ＢＷＰに関連付けられる。ｖ２ｘ−ＳｃｈｅｄｕｌｉｎｇＰｏｏｌ３は搬送波周波数Ｆ２及びＢＷＰ  ＩＤ１を有するＳＬ  ＢＷＰに関連付けれる。ｖ２ｘ−ＳｃｈｅｄｕｌｉｎｇＰｏｏｌ４は搬送波周波数Ｆ２及びＢＷＰ  ＩＤ２を有するＳＬ  ＢＷＰに関連付けられる。
【０１０１】
ｇＮＢからｖ２ｘ−ＳｃｈｅｄｕｌｉｎｇＰｏｏｌｓを受信した後、ＵＥはＳＬ−Ｖ−ＲＮＴＩでアドレシングされたＰＤＣＣＨに対してモニタリングする。ＵＥはＳＬ−Ｖ−ＲＮＴＩでアドレシングされたＰＤＣＣＨを受信する。ＤＣＩはＳＬグラントがＦ２及びＳＬ  ＢＷＰ１に対するものであることを示す。次に、ＵＥはＤＣＩのリソース情報を用いてＶ２Ｘ  ＳＬ送信に用いられる決定されたｖ２ｘ−ＳｃｈｅｄｕｌｉｎｇＰｏｏｌ３からＴｘリソースを識別する。次に、ＵＥは搬送波周波数Ｆ２のＳＬ  ＢＷＰ１上で受信されたＳＬグラントに基づいてＶ２Ｘ  ＳＬ送信を行う。
【０１０２】
図７は、一実施形態によるＶ２Ｘサイドリンク（ＳＬ）通信のリソース割り当てのための手順の第２例を示す図である。
【０１０３】
図７を参照すると、Ｖ２Ｘ  ＳＬ通信に関心のあるＵＥは、段階７１０でＶ２Ｘ  ＳＬ送信のためのリソースをリクエストするためのシグナリングメッセージ（例えば、ＳｉｄｅｌｉｎｋＵＥＩｎｆｏｒｍａｔｉｏｎメッセージ）を送信する。Ｖ２Ｘ  ＳＬ送信リソースに対するＵＥのリクエストに応答して、ｇＮＢは、段階７２０でサービングセルのうちの一つの搬送波周波数に対するＳＬ−Ｖ−ＲＮＴＩ及び４個のｖ２ｘ−ＳｃｈｅｄｕｌｉｎｇＰｏｏｌをシグナリングする。ｖ２ｘ−ＳｃｈｅｄｕｌｉｎｇＰｏｏｌ１はＢＷＰ  ＩＤ１を有するＵＬ  ＢＷＰに関連付けられる。ｖ２ｘ−ＳｃｈｅｄｕｌｉｎｇＰｏｏｌ２はＢＷＰ  ＩＤ２を有するＵＬ  ＢＷＰに関連付けられる。ｖ２ｘ−ＳｃｈｅｄｕｌｉｎｇＰｏｏｌ３はＢＷＰ  ＩＤ３を有するＵＬ  ＢＷＰに関連付けられる。ｖ２ｘ−ＳｃｈｅｄｕｌｉｎｇＰｏｏｌ４はＢＷＰ  ＩＤ４を有するＵＬ  ＢＷＰに関連付けられる。
【０１０４】
ｇＮＢからｖ２ｘ−ＳｃｈｅｄｕｌｉｎｇＰｏｏｌｓを受信した後、ＵＥはＳＬ−Ｖ−ＲＮＴＩでアドレシングされたＰＤＣＣＨに対してモニタリングする。ＵＥは、段階７３０で、ｇＮＢからＳＬ−Ｖ−ＲＮＴＩでアドレシングされたＰＤＣＣＨを受信する。ＤＣＩはｖ２ｘ−ＳｃｈｅｄｕｌｉｎｇＰｏｏｌが設定された搬送波周波数上で受信される。ＤＣＩが、ＳＬグラントがＵＬ  ＢＷＰ１に対するものであることを示すと、ＵＥは、段階７４０でＤＣＩのリソース情報を用いてＶ２Ｘ  ＳＬ送信に用いられる決定されたｖ２ｘ−ＳｃｈｅｄｕｌｉｎｇＰｏｏｌ１からＴｘリソースを識別する。次に、ＵＥは、段階７５０で、ＤＣＩが受信された搬送波周波数のＵＬ  ＢＷＰ１上で受信されたＳＬグラントに基づいてＶ２Ｘ  ＳＬ送信を行う。
【０１０５】
一つ以上のＳＬ  ＢＷＰはＳＬ通信のためのＵＬ  ＢＷＰを用いる代りにＳＬ通信のために設定される。この場合、‘ＵＬ  ＢＷＰ’を‘ＳＬ  ＢＷＰ’で置き替えて手順が適用される。Ｖ２Ｘ  ＳＬ送信リソースに対するＵＥのリクエストに応答して、ｇＮＢはサービングセルのうちの一つの搬送波周波数に対してＳＬ−Ｖ−ＲＮＴＩ及び４個のｖ２ｘ−ＳｃｈｅｄｕｌｉｎｇＰｏｏｌをシグナリングする。ｖ２ｘ−ＳｃｈｅｄｕｌｉｎｇＰｏｏｌ１はＢＷＰ  ＩＤ１を有するＳＬ  ＢＷＰに関連付けられる。ｖ２ｘ−ＳｃｈｅｄｕｌｉｎｇＰｏｏｌ２はＢＷＰ  ＩＤ２を有するＳＬ  ＢＷＰに関連付けられる。ｖ２ｘ−ＳｃｈｅｄｕｌｉｎｇＰｏｏｌ３はＢＷＰ  ＩＤ３を有するＳＬ  ＢＷＰに関連付けられる。ｖ２ｘ−ＳｃｈｅｄｕｌｉｎｇＰｏｏｌ４はＢＷＰ  ＩＤ４を有するＳＬ  ＢＷＰに関連付けられる。ｇＮＢからｖ２ｘ−ＳｃｈｅｄｕｌｉｎｇＰｏｏｌｓを受信した後、ＵＥはＳＬ−Ｖ−ＲＮＴＩでアドレシングされたＰＤＣＣＨに対してモニタリングする。ＵＥはＳＬ−Ｖ−ＲＮＴＩでアドレシングされたＰＤＣＣＨを受信する。ＤＣＩは、ｖ２ｘ−ＳｃｈｅｄｕｌｉｎｇＰｏｏｌｓが設定された搬送波周波数上で受信され、ＳＬグラントがＳＬ  ＢＷＰ１に対するものであることを示す。次に、ＵＥはＤＣＩのリソース情報を用いてＶ２Ｘ  ＳＬ送信に用いられる決定されたｖ２ｘ−ＳｃｈｅｄｕｌｉｎｇＰｏｏｌ１からＴｘリソースを識別する。次に、ＵＥはＤＣＩが受信された搬送波周波数のＳＬ  ＢＷＰ１上で受信されたＳＬグラントに基づいてＶ２Ｘ  ＳＬ送信を行う。
【０１０６】
＜実施例２＞
【０１０７】
ＵＥには一つ以上のサービングセルが設定される。活性化された各々のサービングセルに対して、一つ以上のＢＷＰがＲＲＣシグナリングを用いてｇＮＢによって設定される。活性化されたサービングセル毎に一つの活性ＤＬ  ＢＷＰ及び一つの活性ＵＬ  ＢＷＰがある。Ｖ２Ｘ  ＳＬ通信に関心のあるＵＥはＶ２Ｘ  ＳＬ送信のためのリソースをリクエストするためのシグナリングメッセージ（例えば、ＳｉｄｅｌｉｎｋＵＥＩｎｆｏｒｍａｔｉｏｎメッセージ）を送信する。ＵＥはＶ２Ｘ  ＳＬ送信のための一つ以上の周波数及びＶ２Ｘ  ＳＬ送信目的地のリストを示す。スケジューリングされたリソース割り当てのために、ｇＮＢは一つ以上のＳＬ−Ｖ−ＲＮＴＩをＵＥに割り当てる。ｇＮＢは更に一つ以上のｖ２ｘ−ＳｃｈｅｄｕｌｉｎｇＰｏｏｌをシグナリングし、ここで各々のｖ２ｘ−ＳｃｈｅｄｕｌｉｎｇＰｏｏｌはＶ２Ｘ  ＳＬ送信のためのＴｘリソースのプールを示す。現在の設計で各々のシグナリングされたｖ２ｘ−ＳｃｈｅｄｕｌｉｎｇＰｏｏｌはＶ２Ｘ  ＳＬ通信に用いられる搬送波周波数（サービング又は非サービング）に関連付けられる。
【０１０８】
ｇＮＢからｖ２ｘ−ＳｃｈｅｄｕｌｉｎｇＰｏｏｌ（ｓ）を受信した後、ＵＥはＳＬ−Ｖ−ＲＮＴＩでアドレシングされたＰＤＣＣＨに対してモニタリングする。ＳＬ−Ｖ−ＲＮＴＩでアドレシングされたＰＤＣＣＨのＤＣＩは、ＳＬグラント、即ちＶ２Ｘ  ＳＬ送信のためのＴｘリソースを示す。ＤＣＩはＶ２Ｘ  ＳＬ送信のためにＵＥに割り当てられたＴｘリソースを示すリソース情報を含む。ＰＤＣＣＨに示されるＴｘリソースはｖ２ｘ−ＳｃｈｅｄｕｌｉｎｇＰｏｏｌからのＴｘリソースのうちの一つである。異なる搬送波周波数に関連付けられた多数のｖ２ｘ−ＳｃｈｅｄｕｌｉｎｇＰｏｏｌが設定された場合、ＰＤＣＣＨはＣＩＦを用いてＳＬグラントに連関付けられた搬送波周波数を示す。搬送波間のスケジューリングされたリソース割り当ての場合、ＤＣＩにおけるＣＩＦ＝１はこのような周波数リストの第１のエントリーに相応し、ＣＩＦ＝２は第２のエントリーに該当する。ＤＣＩにおけるＣＩＦ＝０はＤＣＩが受信される周波数に該当する。ＰＤＣＣＨに示されるＴｘリソースはＣＩＦによって示される周波数に相応するｖ２ｘ−ＳｃｈｅｄｕｌｉｎｇＰｏｏｌからのＴｘリソースのうちの一つである。
【０１０９】
本発明の実施例で、ＳＬ−Ｖ−ＲＮＴＩでアドレシングされたＰＤＣＣＨのＤＣＩは更にＢＷＰ  ＩＤを含む。ＰＤＣＣＨに示されるＴｘリソースはＣＩＦによって示される搬送波周波数に相応するｖ２ｘ−ＳｃｈｅｄｕｌｉｎｇＰｏｏｌからのＴｘリソースのうちの一つである。ＵＥは受信されたＳＬグラントを用いてＣＩＦによって示される搬送波周波数のＢＷＰ  ＩＤによって識別されたＵＬ  ＢＷＰ上でＶ２Ｘ  ＳＬ送信信号を送信する。ＳＬ通信のためのＵＬ  ＢＷＰを用いる代りにＳＬ通信のために一つ以上のＳＬ  ＢＷＰが設定されるということが注目されなければならない。ＵＥは受信されたＳＬグラントを用いてＣＩＦによって示される搬送波周波数のＢＷＰ  ＩＤによって識別されたＳＬ  ＢＷＰ上でＶ２Ｘ  ＳＬ送信信号を送信する。
【０１１０】
ＳＬ−Ｖ−ＲＮＴＩでアドレシングされたＰＤＣＣＨを受信すると、ＵＥは受信されたＰＤＣＣＨのＤＣＩからＢＷＰ  ＩＤ及びＣＩＦを獲得する。ＵＥはｇＮＢによって設定された一つ以上のｖ２ｘ−ＳｃｈｅｄｕｌｉｎｇＰｏｏｌｓからＣＩＦによって示される搬送波周波数に相応するｖ２ｘ−ＳｃｈｅｄｕｌｉｎｇＰｏｏｌを決定する。次に、ＵＥはＤＣＩのリソース情報を用いてＶ２Ｘ  ＳＬ送信に用いられる決定されたｖ２ｘ−ＳｃｈｅｄｕｌｉｎｇＰｏｏｌからＴｘリソースを識別する。次に、ＵＥはＤＣＩに示されるＵＬ  ＢＷＰ及び搬送波周波数上でＶ２Ｘ  ＳＬ送信を行う。ＳＬ通信のためのＵＬ  ＢＷＰを用いる代りにＳＬ通信のために一つ以上のＳＬ  ＢＷＰが設定されるということが注目されなければならない。この場合、ＤＣＩのＢＷＰ  ＩＤはＳＬ  ＢＷＰを指称する。ＵＥは受信されたＳＬグラントを用いてＣＩＦによって示される搬送波周波数のＢＷＰ  ＩＤによって識別されたＳＬ  ＢＷＰ上でＶ２Ｘ  ＳＬ送信信号を送信する。
【０１１１】
受信されたＳＬグラントに相応するＶ２Ｘ  ＳＬ送信のための搬送波周波数が活性化されたサービングセルのうちの一つに相応し、活性ＵＬ  ＢＷＰが受信されたＳＬグラントのＵＬ  ＢＷＰと同じではなくＵＥが多数のＢＷＰ上で同時に動作することができない場合、ＵＥは受信されたＳＬグラントの活性ＵＬ  ＢＷＰをＵＬ  ＢＷＰで転換してＶ２Ｘ  ＳＬ送信を行う。
【０１１２】
図８は、一実施形態によるＶ２Ｘサイドリンク（ＳＬ）通信のリソース割り当てのための手順の第３例を示す図である。
【０１１３】
図８を参照すると、Ｖ２Ｘ  ＳＬ通信に関心のあるＵＥは、段階８１０でＶ２Ｘ  ＳＬ送信のためのリソースをリクエストするためのシグナリングメッセージ（例えば、ＳｉｄｅｌｉｎｋＵＥＩｎｆｏｒｍａｔｉｏｎメッセージ）を送信する。Ｖ２Ｘ  ＳＬ送信リソースに対するＵＥのリクエストに応答して、ｇＮＢは、段階８２０でＳＬ−Ｖ−ＲＮＴＩ及び２個のｖ２ｘ−ＳｃｈｅｄｕｌｉｎｇＰｏｏｌをシグナリングする。ｖ２ｘ−ＳｃｈｅｄｕｌｉｎｇＰｏｏｌ１は搬送波周波数Ｆ１に関連付けられる。ｖ２ｘ−ＳｃｈｅｄｕｌｉｎｇＰｏｏｌ２は搬送波周波数Ｆ２に関連付けられる。ｇＮＢからｖ２ｘ−ＳｃｈｅｄｕｌｉｎｇＰｏｏｌｓを受信した後、ＵＥはＳＬ−Ｖ−ＲＮＴＩでアドレシングされたＰＤＣＣＨに対してモニタリングする。ＵＥは、段階８３０で、ＳＬ−Ｖ−ＲＮＴＩでアドレシングされたＰＤＣＣＨを受信する。ＤＣＩが、ＳＬグラントがＦ２及びＵＬ  ＢＷＰ２に対するものであることを示すと、ＵＥは、段階８４０でＤＣＩのリソース情報を用いてＤＣＩに示される搬送波周波数Ｆ２に相応するｖ２ｘ−ＳｃｈｅｄｕｌｉｎｇＰｏｏｌ２からＴｘリソースを識別する。次に、ＵＥは、段階８５０で（ＤＣＩに示された）搬送波周波数Ｆ２の（ＤＣＩに示された）ＵＬ  ＢＷＰ２上で受信されたＳＬグラントに基づいてＶ２Ｘ  ＳＬ送信を行う。一つ以上のＳＬ  ＢＷＰはＳＬ  通信のためのＵＬ  ＢＷＰを用いる代りにＳＬ通信のために設定されるということが注目されなければならない。この場合、‘ＵＬ  ＢＷＰ’を‘ＳＬ  ＢＷＰ’で置き替えて手順が適用される。Ｖ２Ｘ  ＳＬ送信リソースに対するＵＥのリクエストに応答して、ｇＮＢは、段階８２０でＳＬ−Ｖ−ＲＮＴＩ及び２個のｖ２ｘ−ＳｃｈｅｄｕｌｉｎｇＰｏｏｌをシグナリングする。ｖ２ｘ−ＳｃｈｅｄｕｌｉｎｇＰｏｏｌ１は搬送波周波数Ｆ１に関連付けられる。ｖ２ｘ−ＳｃｈｅｄｕｌｉｎｇＰｏｏｌ２は搬送波周波数Ｆ２に関連付けられる。ｇＮＢからｖ２ｘ−ＳｃｈｅｄｕｌｉｎｇＰｏｏｌｓを受信した後、ＵＥはＳＬ−Ｖ−ＲＮＴＩでアドレシングされたＰＤＣＣＨに対してモニタリングする。ＵＥは、段階８３０で、ＳＬ−Ｖ−ＲＮＴＩでアドレシングされたＰＤＣＣＨを受信する。ＤＣＩが、ＳＬグラントがＦ２及びＳＬ  ＢＷＰ２に対するものであることを示すと、ＵＥは、段階８４０でＤＣＩのリソース情報を用いてＤＣＩに示される搬送波周波数Ｆ２に相応するｖ２ｘ−ＳｃｈｅｄｕｌｉｎｇＰｏｏｌ２からＴｘリソースを識別する。次に、ＵＥは、段階８５０で（ＤＣＩに示される）搬送波周波数Ｆ２の（ＤＣＩに示される）ＳＬ  ＢＷＰ２上で受信されたＳＬグラントに基づいてＶ２Ｘ  ＳＬ送信を行う。
【０１１４】
＜実施例３＞
【０１１５】
ＵＥには一つ以上のサービングセルが設定される。活性化された各々のサービングセルに対して、一つ以上のＢＷＰがＲＲＣシグナリングを用いてｇＮＢによって設定される。活性化されたサービングセル毎に一つの活性ＤＬ  ＢＷＰ及び一つの活性ＵＬ  ＢＷＰがある。Ｖ２Ｘ  ＳＬ通信に関心のあるＵＥはＶ２Ｘ  ＳＬ送信のためのリソースをリクエストするためのシグナリングメッセージ（例えば、ＳｉｄｅｌｉｎｋＵＥＩｎｆｏｒｍａｔｉｏｎメッセージ）を送信する。ＵＥはＶ２Ｘ  ＳＬ送信のための一つ以上の周波数及びＶ２Ｘ  ＳＬ送信目的地のリストを示す。スケジューリングされたリソース割り当てのために、ｇＮＢは一つ以上のＳＬ−Ｖ−ＲＮＴＩをＵＥに割り当てる。ｇＮＢは更に一つ以上のｖ２ｘ−ＳｃｈｅｄｕｌｉｎｇＰｏｏｌをシグナリングし、ここで各々のｖ２ｘ−ＳｃｈｅｄｕｌｉｎｇＰｏｏｌはＶ２Ｘ  ＳＬ送信のためのＴｘリソースのプールを示す。現在の設計で各々のシグナリングされたｖ２ｘ−ＳｃｈｅｄｕｌｉｎｇＰｏｏｌはＶ２Ｘ  ＳＬ通信に用いられる搬送波周波数に関連付けられる。
【０１１６】
ｇＮＢによってシグナリングされたｖ２ｘ−ＳｃｈｅｄｕｌｉｎｇＰｏｏｌｓは更にＵＬ  ＢＷＰに関連付けられる。各々の搬送波周波数に対して最大一つのｖ２ｘ−ＳｃｈｅｄｕｌｉｎｇＰｏｏｌがあり、各々のｖ２ｘ−ＳｃｈｅｄｕｌｉｎｇＰｏｏｌはＵＬ  ＢＷＰに関連付けられる。関連付けられたＵＬ  ＢＷＰはｇＮＢによってシグナリングされる。このような実施例３と上述した実施例１との差異は、実施例１で各々の搬送波周波数に対して、各々のｖ２ｘ−ＳｃｈｅｄｕｌｉｎｇＰｏｏｌが異なるＵＬ  ＢＷＰに関連付けられる多数のｖ２ｘ−ＳｃｈｅｄｕｌｉｎｇＰｏｏｌが設定されるということである。ＳＬ通信のためのＵＬ  ＢＷＰを用いる代りにＳＬ通信のために一つ以上のＳＬ  ＢＷＰが設定されるということが注目されなければならない。この場合、ｇＮＢによってシグナリングされるｖ２ｘ−ＳｃｈｅｄｕｌｉｎｇＰｏｏｌｓは更にＳＬ  ＢＷＰに関連付けられる。各々の搬送波周波数に対して最大一つのｖ２ｘ−ＳｃｈｅｄｕｌｉｎｇＰｏｏｌがあり、各々のｖ２ｘ−ＳｃｈｅｄｕｌｉｎｇＰｏｏｌはＳＬ  ＢＷＰに関連付けられる。関連付けられたＳＬ  ＢＷＰはｇＮＢによってシグナリングされる。このような実施例３と上述した実施例１との差異は、実施例１で各々の搬送波周波数に対して、各々のｖ２ｘ−ＳｃｈｅｄｕｌｉｎｇＰｏｏｌが異なるＳＬ  ＢＷＰに関連付けられる多数のｖ２ｘ−ＳｃｈｅｄｕｌｉｎｇＰｏｏｌが設定されるということである。
【０１１７】
ｇＮＢからｖ２ｘ−ＳｃｈｅｄｕｌｉｎｇＰｏｏｌ（ｓ）を受信した後、ＵＥはＳＬ−Ｖ−ＲＮＴＩでアドレシングされたＰＤＣＣＨに対してモニタリングする。ＳＬ−Ｖ−ＲＮＴＩでアドレシングされたＰＤＣＣＨのＤＣＩは、ＳＬグラント、即ちＶ２Ｘ  ＳＬ送信のためのＴｘリソースを示す。ＤＣＩはＶ２Ｘ  ＳＬ送信のためにＵＥに割り当てられたＴｘリソースを示すリソース情報を含む。ＰＤＣＣＨに示されるＴｘリソースはｖ２ｘ−ＳｃｈｅｄｕｌｉｎｇＰｏｏｌからのＴｘリソースのうちの一つである。異なる搬送波周波数に関連付けられた多数のｖ２ｘ−ＳｃｈｅｄｕｌｉｎｇＰｏｏｌが設定された場合、ＰＤＣＣＨはＣＩＦを用いてＳＬグラントに関連付けられた搬送波周波数を示す。搬送波間のスケジューリングされたリソース割り当ての場合、ＤＣＩにおけるＣＩＦ＝１はこのような周波数リストにおける第１のエントリーに相応し、ＣＩＦ＝２は第２のエントリーに該当する。ＤＣＩにおけるＣＩＦ＝０はＤＣＩが受信される周波数に該当する。ＰＤＣＣＨに示されるＴｘリソースはＣＩＦによって示される周波数に相応するｖ２ｘ−ＳｃｈｅｄｕｌｉｎｇＰｏｏｌからのＴｘリソースのうちの一つである。
【０１１８】
ＳＬ−Ｖ−ＲＮＴＩでアドレシングされたＰＤＣＣＨを受信すると、ＵＥは受信されたＰＤＣＣＨのＤＣＩからＣＩＦを獲得する。ＵＥはｇＮＢによって設定された一つ以上のｖ２ｘ−ＳｃｈｅｄｕｌｉｎｇＰｏｏｌｓからＣＩＦによって示される搬送波周波数に相応するｖ２ｘ−ＳｃｈｅｄｕｌｉｎｇＰｏｏｌを決定する。次に、ＵＥはＤＣＩのリソース情報を用いてＶ２Ｘ  ＳＬ送信に用いられる決定されたｖ２ｘ−ＳｃｈｅｄｕｌｉｎｇＰｏｏｌからＴｘリソースを識別する。次に、ＵＥは決定されたｖ２ｘ−ＳｃｈｅｄｕｌｉｎｇＰｏｏｌに関連付けられたＵＬ  ＢＷＰ上でＶ２Ｘ  ＳＬ送信を行う。ＳＬ通信のためのＵＬ  ＢＷＰを用いる代りにＳＬ通信のために一つ以上のＳＬ  ＢＷＰが設定されるということが注目されなければならない。この場合、ＵＥは決定されたｖ２ｘ−ＳｃｈｅｄｕｌｉｎｇＰｏｏｌに関連付けられたＳＬ  ＢＷＰ上でＶ２Ｘ  ＳＬ送信を行う。
【０１１９】
受信されたＳＬグラントに相応するＶ２Ｘ  ＳＬ送信のための搬送波周波数が活性化されたサービングセルのうちの一つに相応し、活性ＵＬ  ＢＷＰが受信されたＳＬグラントのＵＬ  ＢＷＰと同じではなく、ＵＥが多数のＢＷＰ上で同時に動作することができない場合、ＵＥは受信されたＳＬグラントの活性ＵＬ  ＢＷＰを  ＵＬ  ＢＷＰで転換してＶ２Ｘ  ＳＬ送信を行う。
【０１２０】
図９は、一実施形態によるＶ２Ｘサイドリンク（ＳＬ）通信のリソース割り当てのための手順の第４例を示す図である。
【０１２１】
図９を参照すると、Ｖ２Ｘ  ＳＬ通信に関心のあるＵＥは、段階９１０でＶ２Ｘ  ＳＬ送信のためのリソースをリクエストするためのシグナリングメッセージ（例えば、ＳｉｄｅｌｉｎｋＵＥＩｎｆｏｒｍａｔｉｏｎメッセージ）をｇＮＢに送信する。Ｖ２Ｘ  ＳＬ送信リソースに対するＵＥのリクエストに応答して、ｇＮＢは、段階９２０でＳＬ−Ｖ−ＲＮＴＩ及び２個のｖ２ｘ−ＳｃｈｅｄｕｌｉｎｇＰｏｏｌをＵＥに送信する。ｖ２ｘ−ＳｃｈｅｄｕｌｉｎｇＰｏｏｌ１は搬送波周波数Ｆ１及びＢＷＰ  ＩＤ１を有するＵＬ  ＢＷＰに関連付けられる。ｖ２ｘ−ＳｃｈｅｄｕｌｉｎｇＰｏｏｌ２は搬送波周波数Ｆ２及びＢＷＰ  ＩＤ４を有するＵＬ  ＢＷＰに関連付けられる。
【０１２２】
ｇＮＢからｖ２ｘ−ＳｃｈｅｄｕｌｉｎｇＰｏｏｌｓを受信した後、ＵＥはＳＬ−Ｖ−ＲＮＴＩでアドレシングされたＰＤＣＣＨに対してモニタリングする。ＵＥは、段階９３０で、ＳＬ−Ｖ−ＲＮＴＩでアドレシングされたＰＤＣＣＨを受信する。ＤＣＩが、ＳＬグラントがＦ２に対するものであることを示すと、ＵＥは、ＤＣＩのリソース情報を用いて、‘スケジューリング制御（ｓｃｈｅｄｕｌｉｎｇ  ｃｏｎｔｒｏｌ）’とも言われるスケジューリング割り当て（ｓｃｈｅｄｕｌｉｎｇ  ａｓｓｉｇｎｍｅｎ：ＳＡ）と、段階９４０でＶ２Ｘ  ＳＬ送信に用いられる決定されたｖ２ｘ−ＳｃｈｅｄｕｌｉｎｇＰｏｏｌ２（搬送波周波数Ｆ２に相当する）からのデータリソースとを識別する。次に、ＵＥは、段階９５０で搬送波周波数Ｆ２のＵＬ  ＢＷＰ４上で受信されたＳＬグラントに基づいてＶ２Ｘ  ＳＬ送信を行う。一つ以上のＳＬ  ＢＷＰはＳＬ通信のためのＵＬ  ＢＷＰを用いる代りにＳＬ通信のために設定される。この場合、‘ＵＬ  ＢＷＰ’を‘ＳＬ  ＢＷＰ’で置き替えて手順が適用される。Ｖ２Ｘ  ＳＬ通信に関心のあるＵＥは、段階９１０でＶ２Ｘ  ＳＬ送信のためのリソースをリクエストするためのシグナリングメッセージ（例えば、ＳｉｄｅｌｉｎｋＵＥＩｎｆｏｒｍａｔｉｏｎメッセージ）を送信する。Ｖ２Ｘ  ＳＬ送信リソースに対するＵＥのリクエストに応答して、ｇＮＢは、段階９２０でＳＬ−Ｖ−ＲＮＴＩ及び２個のｖ２ｘ−ＳｃｈｅｄｕｌｉｎｇＰｏｏｌをＵＥに送信する。ｖ２ｘ−ＳｃｈｅｄｕｌｉｎｇＰｏｏｌ１は搬送波周波数Ｆ１及びＢＷＰ  ＩＤ１を有するＳＬ  ＢＷＰに関連付けられる。ｖ２ｘ−ＳｃｈｅｄｕｌｉｎｇＰｏｏｌ２は搬送波周波数Ｆ２及びＢＷＰ  ＩＤ４を有するＳＬ  ＢＷＰに関連付けられる。
【０１２３】
ｇＮＢからｖ２ｘ−ＳｃｈｅｄｕｌｉｎｇＰｏｏｌｓを受信した後、ＵＥはＳＬ−Ｖ−ＲＮＴＩでアドレシングされたＰＤＣＣＨに対してモニタリングする。ＵＥは、段階９３０で、ＳＬ−Ｖ−ＲＮＴＩでアドレシングされたＰＤＣＣＨを受信する。ＤＣＩが、ＳＬグラントがＦ２に対するものであることを示すと、ＵＥは、ＤＣＩのリソース情報を用いて、段階９４０でＶ２Ｘ  ＳＬ送信に用いられる決定されたｖ２ｘ−ＳｃｈｅｄｕｌｉｎｇＰｏｏｌ２（搬送波周波数Ｆ２に相当する）からＳＡ及びデータリソースを識別する。次に、ＵＥは、段階９５０で搬送波周波数Ｆ２のＵＬ  ＢＷＰ４上で受信されたＳＬグラントに基づいてＶ２Ｘ  ＳＬ送信を行う。
【０１２４】
≪ＳＩウィンドウ内のＰＤＣＣＨモニタリングオケージョンとＳＳＢとの間のマッピング≫
【０１２５】
５Ｇ無線通信システムにおいて、システム情報は最小ＳＩ（ＭＩＢ及びＳＩＢ１を含み）と他の異なるＳＩ（ＳＩＢ２、ＳＩＢ３など）とに分けられる。ＳＩＢ１以外のＳＩＢはＤＬ−ＳＣＨ上で送信されるＳｙｓｔｅｍＩｎｆｏｒｍａｔｉｏｎ（ＳＩ）メッセージで搬送される。同一の周期性を有するＳＩＢのみが同一のＳＩメッセージにマッピングされる。各々のＳＩメッセージは周期的に発生する時間ドメインウィンドウ（全てのＳＩメッセージに対して同一の長さを有するＳＩウィンドウという）内で送信される。各々のＳＩメッセージはＳＩウィンドウに関連付けられ、異なるＳＩメッセージのＳＩウィンドウは重ならない。即ち、一つのＳＩウィンドウ内には相応するＳＩメッセージのみが送信される。ＳＩＢ１のｓｉ−ＳｃｈｅｄｕｌｉｎｇＩｎｆｏ内のｓｃｈｅｄｕｌｅＩｎｆｏＬｉｓｔはＧｎｂによって送信されたＳＩメッセージのリストを含む。ＳＩＢ１は、ＳＩＢとＳＩメッセージとの間のマッピング、送信された各々のＳＩメッセーの周期性及びＳＩウィンドウの長さを示す。
【０１２６】
ＮＲではＳＩウィンドウのクラスタ（それぞれの同一な長さ）が（全てのＳＩ期間のうちの最も小さいＳＩ期間で）周期的に発生する。
【０１２７】
図１０は、３個のＳＩメッセージを送信するセルに対して周期的に発生するＳＩ−ウィンドウのクラスタの一例を示す図である。
【０１２８】
図１０を参照すると、セルは３個のＳＩメッセージ（即ち、ＳＩＢ１のｓｉ−ＳｃｈｅｄｕｌｉｎｇＩｎｆｏのｓｃｈｅｄｕｌｅＩｎｆｏＬｉｓｔは３個のＳＩメッセージのリストを含み）を送信し、ここでＳＩメッセージ１は８０ｍｓのＳＩ周期性を有し、ＳＩメッセージ２は１６０ｍｓのＳＩ周期性を有し、ＳＩメッセージ３は１３０ｍｓの周期性を有する。ＳＩメッセージ１はＳＩウィンドウ番号１にマッピングされる。ＳＩメッセージ２はＳＩウィンドウ番号２にマッピングされ、ＳＩメッセージ３はＳＩウィンドウ番号３にマッピングされる。ＳＩメッセージの場合、ＳＩウィンドウ番号はＳＩＢ１のｓｉ−ＳｃｈｅｄｕｌｉｎｇＩｎｆｏのｓｃｈｅｄｕｌｅＩｎｆｏＬｉｓｔによって設定されたＳＩメッセージのリストにおけるエントリーの手順である。
【０１２９】
ＳＩメッセージを獲得するために、ＵＥは次のように当該ＳＩメッセージのＳＩウィンドウの位置を決定する。ＳＩメッセージに対するＳＩウィンドウはＳＦＮ  ｍｏｄ  Ｔ＝ＦＬＯＯＲ（ｘ／Ｎ）である無線フレームでａ＝ｘ  ｍｏｄ  Ｎであるスロット＃ａから開始され、ここでＴはＳＩメッセージのｓｉ−Ｐｅｒｉｏｄｉｃｉｔｙであり、Ｎは無線フレームでのスロットの数であり、ｘ＝（ｎ−１）×ｗであり、ｗはＳＩ  ｗｉｎｄｏｗＬｅｎｇｔｈであり、ｎはＳＩウィンドウ番号である。ＳＩメッセージの場合、ＳＩウィンドウ番号はＳＩＢ１のｓｉ−ＳｃｈｅｄｕｌｉｎｇＩｎｆｏのｓｃｈｅｄｕｌｅＩｎｆｏＬｉｓｔによって設定されたＳＩメッセージのリストにおけるエントリーの手順である。
【０１３０】
ＳＩメッセージを獲得するために、当該ＳＩメッセージのＳＩウィンドウで、ＵＥはＳＩメッセージ受信のために設定されたＰＤＣＣＨモニタリングオケージョン（即ち、シンボル／スロット）をモニタリングする。ＳＩメッセージ獲得のために、ＰＤＣＣＨモニタリングオケージョンはｏｓｉ−ｓｅａｒｃｈＳｐａｃｅによって決定される。セル内には一つ以上のＤＬ帯域幅部分がある。ＤＬ  ＢＷＰのＳＩメッセージ受信のために、ｏｓｉ−ｓｅａｒｃｈＳｐａｃｅは当該ＢＷＰのＤＬ  ＢＷＰ設定でｇＮＢによってシグナリングされる。初期ＤＬ  ＢＷＰの場合、ｏｓｉ−ｓｅａｒｃｈＳｐａｃｅはＳＩＢ１及び専用ＲＲＣシグナリングでシグナリングされる。他の専用ＤＬ  ＢＷＰの場合、ｏｓｉ−ｓｅａｒｃｈＳｐａｃｅは専用ＲＲＣシグナリングでシグナリングされる。
【０１３１】
ｏｓｉ−ｓｅａｒｃｈＳｐａｃｅが０に設定されると（基本関連（ｄｅｆａｕｌｔ  ａｓｓｏｃｉａｔｉｏｎ）でもある）、ＳＩウィンドウ内のＳＩメッセージ受信のためのＰＤＣＣＨモニタリングオケージョンはＳＩＢ１に対するＰＤＣＣＨモニタリングオケージョンと同一である。ＳＩＢ１に対するＰＤＣＣＨモニタリングオケージョンはＭＩＢでパラメーター検索空間０及び制御リソースセット（ｃｏｒｅｓｅｔ）０を用いて示される。ｏｓｉ−ｓｅａｒｃｈＳｐａｃｅが０に設定されない場合（基本ではない関連（ｎｏｎ−ｄｅｆａｕｌｔ  ａｓｓｏｃｉａｔｉｏｎ）でもある）、ＳＩメッセージに対するＰＤＣＣＨモニタリングオケージョンはｏｓｉ−ｓｅａｒｃｈＳｐａｃｅによって示される検索空間設定に基づいて決定される。
【０１３２】
ｏｓｉ−ｓｅａｒｃｈＳｐａｃｅによって示される検索空間設定は、Ｍｏｎｉｔｏｒｉｎｇ−ｐｅｒｉｏｄｉｃｉｔｙ−ＰＤＣＣＨ−ｓｌｏｔ、Ｍｏｎｉｔｏｒｉｎｇ−ｏｆｆｓｅｔ−ＰＤＣＣＨ−ｓｌｏｔ、Ｍｏｎｉｔｏｒｉｎｇ−ｓｙｍｂｏｌｓ−ＰＤＣＣＨ−ｗｉｔｈｉｎ−ｓｌｏｔ、及びｄｕｒａｔｉｏｎというパラメーターを含む。ＵＥはＰＤＣＣＨモニタリング周期（Ｍｏｎｉｔｏｒｉｎｇ−ｐｅｒｉｏｄｉｃｉｔｙ−ＰＤＣＣＨ−ｓｌｏｔ）、ＰＤＣＣＨモニタリングオフセット（Ｍｏｎｉｔｏｒｉｎｇ−ｏｆｆｓｅｔ−ＰＤＣＣＨ−ｓｌｏｔ）、及びスロット内のＰＤＣＣＨモニタリングパターン（Ｍｏｎｉｔｏｒｉｎｇ−ｓｙｍｂｏｌｓ−ＰＤＣＣＨ−ｗｉｔｈｉｎ−ｓｌｏｔ）からＰＤＣＣＨモニタリングオケージョンを決定する。ＰＤＣＣＨモニタリングオケージョンはスロット‘ｘ’〜ｘ＋ｄｕｒａｔｉｏｎであり、ここで数‘ｙ’を有する無線フレームで数‘ｘ’を有するスロットは次の式（１）を満たす。
【０１３３】
（ｙ×（無線フレームにおけるスロットの数）＋ｘ−Ｍｏｎｉｔｏｒｉｎｇ−ｏｆｆｓｅｔ−ＰＤＣＣＨ−ｓｌｏｔ）ｍｏｄ（Ｍｏｎｉｔｏｒｉｎｇ−ｐｅｒｉｏｄｉｃｉｔｙ−ＰＤＣＣＨ−ｓｌｏｔ＝０
【０１３４】
ＰＤＣＣＨモニタリングオケージョンを有するそれぞれのスロットにおけるＰＤＣＣＨモニタリングオケージョンの開始シンボルはＭｏｎｉｔｏｒｉｎｇ−ｓｙｍｂｏｌｓ−ＰＤＣＣＨ−ｗｉｔｈｉｎ−ｓｌｏｔによって与えられる。ＰＤＣＣＨモニタリングオケージョンの（シンボルの）長さは検索空間に関連付けられたｃｏｒｅｓｅｔに提供される。（Ｍｏｎｉｔｏｒｉｎｇ−ｐｅｒｉｏｄｉｃｉｔｙ−ＰＤＣＣＨ−ｓｌｏｔ、Ｍｏｎｉｔｏｒｉｎｇ−ｏｆｆｓｅｔ−ＰＤＣＣＨ−ｓｌｏｔ、Ｍｏｎｉｔｏｒｉｎｇ−ｓｙｍｂｏｌｓ−ＰＤＣＣＨ−ｗｉｔｈｉｎ−ｓｌｏｔ、及びｄｕｒａｔｉｏｎというパラメーターを含む）ｏｓｉ−ｓｅａｒｃｈＳｐａｃｅによって示される検索空間設定によって、ＵＥはＳＩウィンドウ内のＳＩメッセージ受信のためのＰＤＣＣＨモニタリングオケージョンを決定することができる。
【０１３５】
ＴＤＤセルで、ＵＥはｔｄｄ−ＵＬ−ＤＬ−ＣｏｎｆｉｇｕｒａｔｉｏｎＣｏｍｍｏｎ  ＩＥ、ｔｄｄ−ＵＬ−ＤＬ−ＣｏｎｆｉｇｕｒａｔｉｏｎＤｅｄｉｃａｔｅｄ  ＩＥ、及びグループ共通ＰＤＣＣＨのうちの少なくとも一つを用いてＴＤＤ設定を受信し、ｔｄｄ−ＵＬ−ＤＬ−ＣｏｎｆｉｇｕｒａｔｉｏｎＣｏｍｍｏｎ  ＩＥは、システム情報でシグナリングされ、ＤＬシンボル、ＵＬシンボル、及び柔軟なシンボルを示し、ｔｄｄ−ＵＬ−ＤＬ−ＣｏｎｆｉｇｕｒａｔｉｏｎＤｅｄｉｃａｔｅｄ  ＩＥは、専用ＲＲＣシグナリングでシグナリングされ、どの柔軟なシンボルがＵＬシンボルであるかを示す。グループ共通ＰＤＣＣＨは一つ以上のスロットに対するＴＤＤ設定を提供する。ｏｓｉ−ｓｅａｒｃｈＳｐａｃｅによってシグナリングされたＰＤＣＣＨモニタリングオケージョンのうち、ＵＥはＵＬシンボルに重なるこのようなＰＤＣＣＨモニタリングオケージョンを除く。ＵＬシンボルはｔｄｄ−ＵＬ−ＤＬ−ＣｏｎｆｉｇｕｒａｔｉｏｎＣｏｍｍｏｎによって決定される。ｔｄｄ−ＵＬ−ＤＬ−ＣｏｎｆｉｇｕｒａｔｉｏｎＣｏｍｍｏｎパラメーターによって決定されてＵＬシンボルに重なるモニタリングオケージョンの除外はＦＤＤセルｔｄｄ−ＵＬ−ＤＬ−ＣｏｎｆｉｇｕｒａｔｉｏｎＣｏｍｍｏｎがシグナリングされない場合のＴＤＤセルにのみ行われる。
【０１３６】
ＳＩウィンドウ内のＳＩメッセージ受信のための各々のＰＤＣＣＨモニタリングオケージョンは送信されたＳＳＢ（又はＳＳ／ＰＢＣＨブロック）のうちの一つに関連付けられる。このような関連付けに基づいて、ＵＥは、一つ以上の適合するＳＳＢ（例えば、ＳＳ−ＲＳＲＰがしきい値を超過するＳＳＢ）に相応するＰＤＣＣＨモニタリングオケージョンを決定し、ＳＩウィンドウ内のこのようなＰＤＣＣＨモニタリングオケージョンのみをモニタリングすることができる。既存のシステムにおいて、ＳＩウィンドウ内のＳＩメッセージ受信のためのＫ番目のＰＤＣＣＨモニタリングオケージョンはＫ番目の送信されたＳＳＢに相応する。しかし、ＳＩウィンドウ内のＳＩメッセージ受信のためのＰＤＣＣＨモニタリングオケージョンと送信されたＳＳＢとの間のこのようなマッピング規則はＳＩウィンドウ内のＳＩメッセージ受信のためのＰＤＣＣＨモニタリングオケージョンの数が送信されたＳＳＢの数と同一の場合にのみ作動する。しかし、ＳＩウィンドウの長さ及びＯＳＩ検索空間の設定によって、ＳＩウィンドウ内のＳＩメッセージ受信のためのＰＤＣＣＨモニタリングオケージョンの数は送信されたＳＳＢの数よりも大きくなる。従って、ＳＩウィンドウ内のＰＤＣＣＨモニタリングオケージョンと送信されたＳＳＢとの間の向上したマッピング規則が必要である。
【０１３７】
最大６４個のＳＳＢがあり、各々のＳＳＢはＳＳＢ識別子によって一意に識別される。ＳｙｓｔｅｍＩｎｆｏｒｍａｔｉｏｎＢｌｏｃｋ１のｓｓｂ−ＰｏｓｉｔｉｏｎｓＩｎＢｕｒｓｔパラメーターはＳＳＢがｇＮＢによって送信されることを示す。ｓｓｂ−ＰｏｓｉｔｉｏｎｓＩｎＢｕｒｓｔはビットマップである。ｓｓｂ−ＰｏｓｉｔｉｏｎｓＩｎＢｕｒｓｔの第１／最左端のビットはＳＳ／ＰＢＣＨブロックインデックス０に相応し、第２のビットはＳＳ／ＰＢＣＨブロックインデックス１に相応する。ビットマップの値０は相応するＳＳ／ＰＢＣＨブロックが送信されないことを示すが、値１は相応するＳＳ／ＰＢＣＨブロックが送信されることを示す。ＵＬシンボル（ＵＬシンボルはＳＩＢ１でシグナリングされたｔｄｄ−ＵＬ−ＤＬ−ＣｏｎｆｉｇｕｒａｔｉｏｎＣｏｍｍｏｎパラメーターによって決定される）に重ならないページングに対するＰＤＣＣＨモニタリングオケージョンはＳＩウィンドウで１から順次に番号が付けられる。ＳＩウィンドウ内の有効なＰＤＣＣＨモニタリングオケージョンはＳＩウィンドウで１から順次に番号が付けられる。次に、このような番号が付けられたＰＤＣＣＨモニタリングオケージョンは次のようにＳＳＢにマッピングされる。
【０１３８】
第１実施例：ＳＩウィンドウ内の（ｘ×Ｎ＋Ｋ）番目のＰＤＣＣＨモニタリングオケージョンはＫ番目の送信されたＳＳＢに相応する。
【０１３９】
Ｎは送信されたＳＳＢの数である。Ｋ＝１、２、…、Ｎ；ｘ＝０、１、…、Ｘ−１；Ｘ＝（ＳＩウィンドウ内のＰＤＣＣＨモニタリングオケージョンの数／Ｎ）。Ｘは割り算（ＳＩウィンドウ内のＰＤＣＣＨモニタリングオケージョンの数／Ｎ）が整数ではない場合の値以上の最も近い整数に四捨五入されるということに注目する。
【０１４０】
実際に送信されたＳＳＢはＳＳＢインデックスの昇順で１からＮまで順次に番号が付けられるということに注目する。例えば、ｓｓｂ−ＰｏｓｉｔｉｏｎｓＩｎＢｕｒｓｔは、ＳＳＢインデックス４、ＳＳＢインデックス８、ＳＳＢインデックス１４、及びＳＳＢインデックス１６がｇＮＢによって送信されることを示すものと仮定すると、ＫはＳＳＢインデックス４のＳＳＢの場合に１と同一であり、ＫはＳＳＢインデックス８のＳＳＢの場合に２と同一であり、ＫはＳＳＢインデックス１４のＳＳＢの場合に３と同一であり、ＫはＳＳＢインデックス１６のＳＳＢの場合は４と同一である。
【０１４１】
図１１は、第１実施例によるＳＩメッセージ受信のためのＰＤＣＣＨモニタリングオケージョンとＳＳＢとの間のマッピングを例示する図である。４個の送信されたＳＳＢがあり、ＳＩウィンドウ内のＰＤＣＣＨモニタリングオケージョンの数は８である。ＳＳＢ１（即ち、Ｋに相応するＳＳＢは１と同一）は第１（０×４＋１）及び第５（１×４＋１）ＰＤＣＣＨモニタリングオケージョンにマッピングされる。ＳＳＢ２（即ち、Ｋに相応するＳＳＢは２と同一）は第２（０×４＋２）及び第６（１×４＋２）ＰＤＣＣＨモニタリングオケージョンにマッピングされる。ＳＳＢ３（即ち、Ｋに相応するＳＳＢは３と同一）は第３（０×４＋３）及び第７（１×４＋３）ＰＤＣＣＨモニタリングオケージョンにマッピングされる。ＳＳＢ４（即ち、Ｋに相応するＳＳＢは４と同一）は第４（０×４＋４）及び第８（１×４＋４）ＰＤＣＣＨモニタリングオケージョンにマッピングされる。
【０１４２】
第２実施例：ＳＩウィンドウ内の（（Ｋ−１）×Ｘ＋ｘ）番目のＰＤＣＣＨモニタリングオケージョンはＫ番目の送信されたＳＳＢに相応する。
【０１４３】
Ｎは送信されたＳＳＢの数である。Ｋ＝１、２、…、Ｎ；ｘ＝１、２、…、Ｘ；Ｘ＝（ＳＩウィンドウ内のＰＤＣＣＨモニタリングオケージョンの数／Ｎ）。Ｘは割り算（ＳＩウィンドウ内のＰＤＣＣＨモニタリングオケージョンの数／Ｎ）が整数ではない場合の値以上の最も近い整数に四捨五入されるということに注目する。
【０１４４】
実際に送信されたＳＳＢはＳＳＢインデックスの昇順で１からＮまで順次に番号が付けられるということに注目する。例えば、ｓｓｂ−ＰｏｓｉｔｉｏｎｓＩｎＢｕｒｓｔは、ＳＳＢインデックス４、ＳＳＢインデックス８、ＳＳＢインデックス１４、及びＳＳＢインデックス１６がｇＮＢによって送信されることを示すものと仮定する。このように、ＫはＳＳＢインデックス４のＳＳＢの場合に１と同一であり、ＫはＳＳＢインデックス８のＳＳＢの場合に２と同一であり、ＫはＳＳＢインデックス１４のＳＳＢの場合に３と同一であり、ＫはＳＳＢインデックス１６のＳＳＢの場合に４と同一である。
【０１４５】
図１２は、第２実施例によるＳＩメッセージ受信のためのＰＤＣＣＨモニタリングオケージョンとＳＳＢとの間のマッピングを例示する図である。４個の送信されたＳＳＢがあり、ＳＩウィンドウ内のＰＤＣＣＨモニタリングオケージョンの数は８である。ＳＳＢ１（即ち、Ｋに相応するＳＳＢは１と同一）は第１（（１−１）×２＋１）及び第２（（１−１）×２＋２）ＰＤＣＣＨモニタリングオケージョンにマッピングされる。ＳＳＢ２（即ち、Ｋに相応するＳＳＢは２と同一）は第３（（２−１）×２＋１）及び第４（（２−１）×２＋２）ＰＤＣＣＨモニタリングオケージョンにマッピングされる。ＳＳＢ３（即ち、Ｋに相応するＳＳＢは３と同一）は第５（（３−１）×２＋１）及び第６（（３−１）×２＋２）ＰＤＣＣＨモニタリングオケージョンにマッピングされる。ＳＳＢ４（即ち、Ｋに相応するＳＳＢは４と同一）は第７（（４−１）×２＋１）及び第８（（４−１）×２＋２）ＰＤＣＣＨモニタリングオケージョンにマッピングされる。
【０１４６】
上述したように、ＳＩウィンドウ内のＳＩメッセージ受信のためのＰＤＣＣＨモニタリングオケージョンとＳＳＢとの間のマッピングに基づいて、ＵＥは、一つ以上の適合するＳＳＢ（例えば、しきい値を超過するＳＳ−ＲＳＲＰを有するＳＳＢ）に相応するＰＤＣＣＨモニタリングオケージョンを決定し、ＳＩウィンドウ内のこのようなＰＤＣＣＨモニタリングオケージョンのみをモニタリングすることができる。上述したようにＳＩウィンドウ内のＳＩメッセージ受信のためのＰＤＣＣＨモニタリングオケージョンとＳＳＢとの間のマッピングに基づいて、ｇＮＢは当該ＰＤＣＣＨモニタリングオケージョンに関連付けられたＳＳＢに相応するＤＬビームを用いてＳＩウィンドウ内のＰＤＣＣＨモニタリングオケージョンでＳＩ−ＲＮＴＩにアドレシングされたＰＤＣＣＨを送信する。
【０１４７】
図１３は、本発明の一実施形態による端末機のブロック図である。
【０１４８】
図１３を参照すると、端末機は、送受信機１３１０、制御部１３２０、及びメモリー１３３０を含む。制御部１３２０は、回路、ＡＳＩＣ、又は少なくとも一つのプロセッサを指称する。送受信機１３１０、制御部１３２０、及びメモリー１３３０は、図面、例えば図１〜図１２又は上述したＵＥの動作を行うように構成される。送受信機１３１０、制御部１３２０、及びメモリー１３３０を別個のエンティティーとして図示しているが、これは単一チップのような単一エンティティーとして実現することができる。送受信機１３１０、制御部１３２０、及びメモリー１３３０は更に互いに電気的に接続されるか又は結合される。
【０１４９】
送受信機１３１０は、信号を他のネットワークエンティティー、例えば基地局に送信し、基地局から信号を受信する。
【０１５０】
制御部１３２０は上述した実施例のうちの一つによって機能を行うようにＵＥを制御する。例えば、制御部１３２０はＳＩＢ１の基地局から送信されたＳＳＢに対する情報（例えば、ｓｓｂ−ＰｏｓｉｔｉｏｎｓＩｎＢｕｒｓｔ）及びＳＩメッセージ受信のための検索空間に対する設定情報（例えば、ｏｓｉ−ｓｅａｒｃｈＳｐａｃｅ）を受信するために送受信機１３１０を制御するように構成される。制御部１３２０は基地局から複数のＳＳＢを受信するために送受信機１３１０を制御するように構成される。複数のＳＳＢは送信されたＳＳＢに対する情報によって示される。制御部１３２０はＳＩウィンドウ内の複数のＳＳＢの各々に関連付けられた少なくとも一つのＰＤＣＣＨモニタリングオケージョンを決定するように構成される。ＰＤＣＣＨモニタリングオケージョンはＳＩメッセージ受信のための検索空間に対する設定情報によって示される。また、少なくとも一つのＰＤＣＣＨモニタリングオケージョンを決定するために、制御部１３２０は、ＳＩウィンドウ内の少なくとも一つのＰＤＣＣＨモニタリングオケージョンを１から順次に番号を付け、複数のＳＳＢのＳＳＢインデックスの昇順で複数のＳＳＢを１から順次に番号付け、ＳＩウィンドウ内の少なくとも一つのＰＤＣＣＨモニタリングオケージョンの（ｘ×Ｎ＋Ｋ）番目のＰＤＣＣＨモニタリングオケージョンを複数のＳＳＢのうちのＫ番目のＳＳＢにマッピングするように更に構成される。制御部１３２０は、複数のＳＳＢのうちの少なくとも一つに関連付けられた少なくとも一つのＰＤＣＣＨモニタリングオケージョンをモニタリングし、ＳＩメッセージを獲得するように構成される。
【０１５１】
一実施例で、端末機の動作は相応するプログラムコードを記憶するメモリー１３３０を用いて具現される。具体的に、端末機には所望の動作を具現するプログラムコードを記憶するためのメモリー１３３０が装着される。所望の動作を行うために、制御部１３２０はプロセッサ又は中央処理ユニット（ｃｅｎｔｒａｌ  ｐｒｏｃｅｓｓｉｎｇ  ｕｎｉｔ、ＣＰＵ）を用いることによってメモリー１３３０に記憶されたプログラムコードを判読して実行する。
【０１５２】
図１４は、本発明の一実施形態による基地局のブロック図である。
【０１５３】
図１４を参照すると、基地局は、送受信機１４１０、制御部１４２０、及びメモリー１４３０を含む。制御部１４２０は、回路、ＡＳＩＣ、又は少なくとも一つのプロセッサを指称する。送受信機１４１０、制御部１４２０、及びメモリー１４３０は、図面、例えば図１〜図１２又は上述したネットワーク（例えば、ｇＮＢ）の動作を行うように構成される。送受信機１４１０、制御部１４２０、及びメモリー１４３０を別個のエンティティーとして図示しているが、これは単一チップのような単一エンティティーとして実現することができる。送受信機１４１０、制御部１４２０、及びメモリー１４３０は更に互いに電気的に接続されるか又は結合される。
【０１５４】
送受信機１４１０は、信号を他のネットワークエンティティー、例えば端末機に送信し、端末機から信号を受信する。
【０１５５】
制御部１４２０は上述した実施例のうちの一つによって機能を行うように基地局を制御する。例えば、制御部１４２０は送信されたＳＳＢに対する情報及びＳＩメッセージ受信のための検索空間に対する設定情報をＳＩＢ１の端末機に送信するために送受信機１４１０を制御するように構成される。また、制御部１３２０は複数のＳＳＢのうちの少なくとも一つのＰＤＣＣＨモニタリングオケージョンに関連付けられたＳＳＢに相応するダウンリンクビームを用いて複数のＳＳＢ及びＳＩメッセージをＳＩウィンドウ内の少なくとも一つのＰＤＣＣＨモニタリングオケージョンで端末機に送信するために送受信機１４１０を制御するように構成される。
【０１５６】
一実施例で、基地局の動作は相応するプログラムコードを記憶するメモリー１４３０を用いて具現される。具体的に、基地局には所望の動作を具現するプログラムコードを記憶するためのメモリー１４３０が装着される。所望の動作を行うために、制御部１４２０はプロセッサ又はＣＰＵを用いることによってメモリー１４３０に記憶されたプログラムコードを判読して実行する。
【０１５７】
本発明は、多様な実施例を参照しながら図示して説明したが、通常の技術者は請求項及び均等物によって定義されるように本発明の思想及び範囲を逸脱せずにその形態及び詳細事項の多様な変更が成り立つことができることを理解するだろう。
【符号の説明】
【０１５８】
１３１０、１４１０    送受信機
１３２０、１４２０    制御部
１３３０、１４３０    メモリー
【図１】
2022500896.tif 000003
【図２】
2022500896.tif 000004
【図３】
2022500896.tif 000005
【図４】
2022500896.tif 000006
【図５】
2022500896.tif 000007
【図６】
2022500896.tif 000008
【図７】
2022500896.tif 000009
【図８】
2022500896.tif 000010
【図９】
2022500896.tif 000011
【図１０】
2022500896.tif 000012
【図１１】
2022500896.tif 000013
【図１２】
2022500896.tif 000014
【図１３】
2022500896.tif 000015
【図１４】
2022500896.tif 000016
【国際調査報告】
2022500896.tif 000017
2022500896.tif 000018